(57)【要約】【課題】最短のマーク及びスペースに関するジッタが最短のマーク及びスペースよりも長いマーク及びスペースに関するジッタより悪い光記憶媒体を用いた場合にも高い信頼性で情報を記録再生可能な光記憶媒体および光情報装置を提供する。【解決手段】この光情報装置は、光ビームを光記憶媒体に照射して、前記光記憶媒体から反射された光ビームを受光して、受光した光に基づく信号を出力する光ピックアップヘッドと、前記光ピックアップヘッドから出力される信号のジッタを計測するジッタ計測部と、前記計測したジッタから前記光記憶媒体が良品か不良品かを判別する判別部とを備え、前記ジッタ計測部は、デジタル情報が２以上の整数ｋと周期Ｔを基本とする長さがｋＴのマーク又はスペース列として記録されている前記光記憶媒体に対して、３Ｔ以上のマーク又はスペース列についてのジッタを計測する。【選択図】図４
2010182414.tif 000002
【特許請求の範囲】
【請求項１】
光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、２つの閾値を用いて前記光記憶媒体に記録された情報を再生する復調手段と
を具備し、
前記光記憶媒体は、第１の記録層と第２の記録層を有し、前記第１の記録層は照射された光の一部が透過する半透過膜からなり、前記第１の記録層を透過した光が前記第２の記録層に到達し、前記第１の記録層には、周期Ｔを基本として長さがｋＴのデジタル情報がマークもしくはスペース列として記録され、ｋは２以上の整数であることを特徴とする光情報装置。
【請求項２】
光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録されたデジタル情報を抽出するためのクロック生成手段と、
前記光記憶媒体に記録された情報を再生する復調手段と
を具備し、
前記光記憶媒体は第１の記録層と第２の記録層を有し、前記第１の記録層は照射された光の一部が透過する半透過膜からなり、前記第１の記録層を透過した光が前記第２の記録層に到達し、前記第１の記録層には、周期Ｔを基本として長さがｋＴのデジタル情報がマークもしくはスペース列として記録され、ｋは２以上の整数であり、前記クロック生成手段は長さが２Ｔであるデジタル情報のマークもしくはスペースに関わるエッジから得られる信号を無効にしてクロック信号を生成することを特徴とする光情報装置。
【請求項３】
光ビームを照射することにより情報の記録もしくは再生がなされる光記憶媒体において、情報を記録する記録層として第１の記録層と第２の記録層を有し、第１の記録層が読み出し専用の記録層であり、第２の記録層が１度だけ情報を記録可能な記録層であり、第１の記録層が、第２の記録層よりも光ビームの入射する側に位置することを特徴とする光記憶媒体。
【発明の詳細な説明】
【技術分野】
【０００１】
本発明は、マーク及びスペースで情報を記録する光記憶媒体、光記憶媒体に対して情報の記録、再生もしくは消去を行う光情報装置、光記憶媒体が良品か不良品かを判別する光記憶媒体検査装置、光記憶媒体が良品か不良品かを判別する光記憶媒体検査方法に関する。
【背景技術】
【０００２】
高密度・大容量の記憶媒体として、近年、ＤＶＤ（デジタルバーサタイル光記憶媒体）と称する高密度・大容量の光記憶媒体が実用化され、動画のような大量の情報を扱える情報媒体として広く普及している。さらに大容量の光記憶媒体を実現するために、２面の情報記録面に記録可能な２層光記憶媒体の開発成果が盛んに発表されている。また、大容量のデータを再生するだけではなく記録も行う手段の開発が盛んに行われ、より高い記録密度を達成するためのアプローチがなされており、その中の一つの方式に、結晶−非結晶間の可逆的な状態変化を利用した相変化型光情報装置がある。
【０００３】
特開２０００−２００４１８号公報には、相変化型光記憶媒体にビームを照射して情報を記録再生している技術が記載されている。
図２０は、記録再生が可能な光情報装置としての光記録再生システムにおける光ピックアップヘッドで用いられている、一般的な光学系の構成を示した図である。光源である半導体レーザ１は、発振波長λ１が４０５ｎｍの直線偏光の発散ビーム７０を出射する。半導体レーザ１から出射された発散ビーム７０は、焦点距離１５ｍｍのコリメートレンズ５３で平行光に変換された後、回折格子５８に入射する。回折格子５８に入射した発散ビーム７０は、０次及び±１次回折光の３つのビームに分岐される。０次回折光が情報の記録／再生を行うメインビーム７０ａ、±１次回折光がトラッキング誤差（以下ＴＥとする）信号の検出を安定に行うためのディファレンシャルプッシュプル（以下ＤＰＰとする）法でＴＥ信号を検出する際に用いられる２つのサブビーム７０ｂ及び７０ｃとなる。回折格子の０次光と１つの１次光の回折効率の比は、サブビーム７０ｂ、７０ｃにより不要な記録がなされることを避けるために、通常１０：１〜２０：１に設定される。ここでは２０：１に設定されている。回折格子５８で生成された３つのビーム、つまりメインビーム７０ａ、サブビーム７０ｂ、７０ｃは、偏光ビームスプリッタ５２を透過し、４分の１波長板５４を透過して円偏光に変換された後、焦点距離３ｍｍの対物レンズ５６で収束ビームに変換され、光記憶媒体４０の透明基板４０ａを透過し、情報記録面４０ｂ上に集光される。対物レンズ５６の開口はアパーチャ５５で制限され、開口数ＮＡ（Ｎｕｍｅｒｉｃａｌ  Ａｐｅｒｔｕｒｅ）を０．８５としている。透明基板４０ａの厚さは０．１ｍｍである。光記憶媒体４０は、情報記録面４０ｂと４０ｃを有している。情報記録面４０ｂは、半透過膜となっており、入射したビームの一部が透過する。情報記録面４０ｃに情報の記録再生を行う際は、情報記録面４０ｂを透過したビームを用いる。
【０００４】
図２１に従来例における光記憶媒体４０のトラックの構成を示す。光記憶媒体４０は、溝状のトラック（グルーブトラック１３０１）に記録領域を有し、前記グルーブトラックがスパイラル状に連続している光記憶媒体である。
【０００５】
図２２は、情報記録面４０ｂ上のビームとトラックとの関係を示している。光記憶媒体４０には、トラックとなる連続溝が形成されており、Ｔｎ−１、Ｔｎ、Ｔｎ＋１はそれぞれ、トラックである。トラックの周期Ｔｐは０．３２μｍである。メインビーム７０ａがトラック上に位置するとき、サブビーム７０ｂと７０ｃがそれぞれトラック間となるように、ビームを配置している。すなわち、メインビームとサブビームのトラックと直交する方向の間隔Ｌは０．１６μｍである。また、トラック上には、ＤＶＤと同様に、８−１６変調で、すなわち周期Ｔを基本としてＴの整数倍の長さのマーク又はスペースで情報が記録されており、且つ、最短マーク長及び最短スペース長が３Ｔの長さである。ここでは、最短マーク長は０．１８５μｍである。
【０００６】
情報記録面４０ｂで反射されたメインビーム７０ａ、サブビーム７０ｂ、７０ｃは、対物レンズ５６、４分の１波長板５４を透過して往路とは９０度異なる直線偏光に変換された後、偏光ビームスプリッタ５２で反射される。偏光ビームスプリッタ５２を反射したメインビーム７０ａ、サブビーム７０ｂ、７０ｃは、集光レンズ５９を透過して収束光に変換され、シリンドリカルレンズ５７を経て、光検出器３２に入射する。メインビーム７０ａ、サブビーム７０ｂ、７０ｃには、シリンドリカルレンズ５７を透過する際、非点収差が付与される。
【０００７】
光検出器３２は、図２３に示すように、８つの受光部３２ａ〜３２ｈを有し、受光部３２ａ〜３２ｄがメインビーム７０ａを、受光部３２ｅ〜３２ｆがサブビーム７０ｂを、受光部３２ｇ〜３２ｈがサブビーム７０ｃを、それぞれ受光する。受光部３２ａから３２ｈは、それぞれ受光した光量に応じた電流信号Ｉ３２ａ〜Ｉ３２ｈを出力する。非点収差法によるフォーカス誤差（以下ＦＥとする）信号は、
（Ｉ３２ａ＋Ｉ３２ｃ）−（Ｉ３２ｂ＋Ｉ３２ｄ）
により得られる。
【０００８】
また、ＤＰＰ法によるＴＥ信号は、
｛（Ｉ３２ａ＋Ｉ３２ｂ）−（Ｉ３２ｃ＋Ｉ３２ｄ）｝−ａ・｛（Ｉ３２ｅ−Ｉ３２ｆ）＋（Ｉ３２ｇ−Ｉ３２ｈ）｝
により得られる。ａは回折格子の回折効率に依存した係数であり、ここでは１０である。
【０００９】
光記憶媒体４０に記録された情報（以下ＲＦとする）信号は、
Ｉ３２ａ＋Ｉ３２ｂ＋Ｉ３２ｃ＋Ｉ３２ｄ
により得られる。ＦＥ信号及びＴＥ信号は、所望のレベルに増幅及び位相補償が行われた後、アクチュエータ９１及び９２に供給されて、フォーカス及びトラッキング制御がなされる。
【００１０】
図２４に、ＲＦ信号のアイパターンを示す。光記憶媒体４０に記録された情報は、ＲＦ信号をトランスバーサルフィルタに入力して、高域を強調した後、２値化し、さらに２値化された信号を復調することで得られる。８−１６変調がＤＣフリー符号であるので、２値化した信号の１と０をそれぞれ時間幅で積分して差動演算することにより、２値化の閾値ＳＬをアイの中心に容易に設定できる。
【００１１】
相変化型の光情報装置では、結晶部をアモルファス化するピークパワーと、アモルファス部を結晶化するバイアスパワーの２つのパワーで半導体レーザを光記憶媒体媒体に照射して、光記憶媒体上にマーク（アモルファス部）と、マークに挟まれたスペース（結晶部）とを形成し、デジタル情報を記録する。マークとスペースではそれぞれ結晶性の違いに起因して反射率が異なるので、再生時にはこの反射率の違いを利用して記録された信号を読み出す。
【００１２】
図２５に、従来例における相変化光情報装置の構成を示す。図２５において、従来の相変化光情報装置は、光記憶媒体４０にレーザ光を照射し、該光記憶媒体４０からの反射光を受光する光ピックアップヘッド１２０２と、再生手段１２０３と、再生信号品質検出手段１２０４と、最適記録パワー決定手段１２０５と、記録手段１２０８と、レーザ駆動回路１２０７と、記録パワー設定手段１２０６とを備える。
【００１３】
光記憶媒体４０が光情報装置に装着され、光記憶媒体タイプの識別や回転制御等の所定の動作の終了後、光ピックアップヘッド１２０２は最適照射パワーを決定するための領域に移動する。なお前記領域は、光記憶媒体の最内周もしくは最外周に設けられた、ユーザがデータを記録するユーザ領域以外の記録領域とする。決定するパワーとしては相変化光記憶媒体では、ピークパワーやバイアスパワーやボトムパワーがあるが、ここではピークパワーの決定方法について説明する。
【００１４】
まず記録パワー設定手段１２０６により、ピークパワー、バイアスパワーの初期値がレーザ駆動回路１２０７に設定される。続いて記録手段１２０８から、グルーブトラック１周を記録するための信号がレーザ駆動回路１２０７に送られ、光ピックアップヘッド１２０２により記録される。このとき光ピックアップヘッド１２０２の構成要素である半導体レーザの出力光は光記憶媒体４０上に光スポットとして集光され、発光波形に応じた記録マークが形成される。記録が終わると、光ピックアップヘッド１２０２の半導体レーザは再生パワーで発光し、さきほど記録を行ったトラックを再生し、再生信号として光記憶媒体４０上の記録マークの有無により変化する信号１２０９が再生手段１２０３に入力される。再生信号１２０９は再生手段１２０３で、増幅、波形等化、２値化等の再生信号処理を受け、信号１２１０が再生信号品質検出手段１２０４に入力される。
再生信号品質検出手段１２０４は信号１２１０の信号品質を検出し、検出結果を最適記録パワー決定手段１２０５に入力する。
【００１５】
ここで再生信号品質検出手段１２０４は、例えば記録した信号を再生したときのジッタを検出する。図２６にピークパワーとジッタの関係を示す。図２６において横軸がピークパワーであり、縦軸がジッタである。再生条件が等しければ、一般にジッタが小さいほど正確な記録が行われている。そこでジッタが、あるしきい値に対してそれ以下となるときを検出結果ＯＫとし、それ以上となるときを検出結果ＮＧとする。
【００１６】
最適記録パワー決定手段１２０５は、例えば図２７に示すフローチャートに従って動作する。
（ａ）例えば再生信号品質検出手段１２０４の１回目の結果がＮＧならば、初めのパワーよりも大きいピークパワーを設定する（ステップ１５０５）。
（ｂ）検出手段１２０４による検出結果がＯＫならば初めのパワーよりも小さいピークパワーを設定する（ステップ１５０４）。
（ｃ）前回と同様に、設定されたピークパワーでグルーブトラックの記録、再生を行う（ステップ１５０６）。
（ｄ）もし再生信号品質検出手段１２０４の１回目の結果がＮＧ、２回目の結果がＯＫであれば、最適記録パワー決定手段１２０５は今回のピークパワーと前回のピークパワーの平均パワーに一定のマージンを上乗せしたパワーを最適記録パワーと決定する（ステップ１５１１）。
（ｅ）もし再生信号品質検出手段１２０４の１回目の結果がＯＫ、２回目の結果がＮＧであれば、最適記録パワー決定手段１２０５は今回のピークパワーと前回のピークパワーの平均パワーに一定のマージンを上乗せしたパワーを最適記録パワーと決定する（ステップ１５１１）。
【先行技術文献】
【特許文献】
【００１７】
【特許文献１】特開２０００−２００４１８号公報
【特許文献２】特開２００１−２９１３２５号公報
【発明の概要】
【発明が解決しようとする課題】
【００１８】
しかしながら上記のような従来の構成では、情報記録面４０ｂと４０ｃから得られる信号のＩ３ｐｐ／Ｉ１４ｐｐ比はそれぞれの記録面で１５％と２０％、ジッタはそれぞれの記録面で１０％と８％と、いずれも記録面４０ｂから読み出した信号の特性の方が記録面４０ｃより悪い。そのため、情報記録面４０ｂに記録する情報の記録密度を情報記録面４０ｃに記録する情報の記録密度よりも下げなければ、記録された情報を高い信頼性で再生することができないという課題があった。
【００１９】
更に、一般に最適照射パワーを決定するための領域と、ユーザがデータを記録するユーザ領域とは別の場所にある。このため、例えば光記憶媒体の反りや、ヘッドの取り付け具合によっては、前記２つの領域に相対的なチルトが生じ、最適照射パワーを決定するための領域で決定した照射パワーよりも実効的に弱めのパワーでユーザデータの記録がなされる場合があった。また、逆に最適照射パワーを決定するための領域で決定した照射パワーより実効的に強めのパワーでユーザデータの記録がなされる場合があった。このとき上記従来技術ではランダム信号を記録した際のジッタにより最適パワーを決定しているが、ジッタに最も影響を与えるのは最短マークの信号品質であり、実質的に最短マークの最適パワーを求めていることになる。これにより最短マークについては記録パワーが多少ばらついた場合でもデータを正しく記録することが可能であるが、最短マークよりも長いマークについては、特に記録密度が大きくなると、パワーの変動等による影響が無視できなくなり、記録信号品質が劣化するという課題があった。
【００２０】
更に、再生時においても、光記憶媒体とヘッドの相対的なチルトや、デフォーカスが発生すると、最短マークよりも長いマークの信号の再生信号品質が低下し、データを正しく再生することができない場合があった。
【００２１】
本発明は、従来の光情報装置における上記課題を考慮し、２つの情報記録面を同じ情報の記録密度としても情報を高い信頼性で記録又は再生できる光記憶媒体および光情報装置を提供することを第１の目的とする。
【００２２】
また、最短のマーク及びスペースに関するジッタが最短のマーク及びスペースよりも長いマーク及びスペースに関するジッタより悪い光記憶媒体を用いた場合にも高い信頼性で情報を記録再生可能な光記憶媒体および光情報装置を提供することを第２の目的とする。
【００２３】
また、記録再生時に光記憶媒体と光ピックアップヘッドとに相対的なチルトや、デフォーカスが発生した場合でも、データを正しく記録再生できる光記憶媒体および光情報装置を提供することを第３の目的とする。
【課題を解決するための手段】
【００２４】
本発明に係る光記憶媒体検査装置は、光ビームを光記憶媒体に照射して、前記光記憶媒体から反射された光ビームを受光して、受光した光に基づく信号を出力する光ピックアップヘッドと、
前記光ピックアップヘッドから出力される信号のジッタを計測するジッタ計測部と、
前記計測したジッタから前記光記憶媒体が良品か不良品かを判別する判別部と
を備え、
前記ジッタ計測部は、デジタル情報が２以上の整数ｋと周期Ｔを基本とする長さがｋＴのマーク又はスペース列として記録されている前記光記憶媒体に対して、３Ｔ以上のマーク又はスペース列についてのジッタを計測することを特徴とする。これにより上記目的が達成される。
【００２５】
本発明に係る別の光記憶媒体検査装置は、光ビームを光記憶媒体に照射して、前記光記憶媒体から反射された光ビームを受光して、受光した光に基づく信号を出力する光ピックアップヘッドと、
前記光ピックアップヘッドから出力される信号のジッタを計測するジッタ計測部と、
前記計測したジッタから前記光記憶媒体が良品か不良品かを判別する判別部と
を備え、
前記ジッタ計測部は、デジタル情報が２以上の整数ｋと周期Ｔを基本とする長さがｋＴのマークもしくはスペース列として記録されている光記憶媒体に対して、長さが２Ｔのマーク又はスペースに関するエッジから得られる信号のジッタを除外して、ジッタを計測する。これにより上記目的が達成される。
【００２６】
上記の光情報装置において好ましくは、長さが２Ｔであるデジタル情報のマークの幅が、長さが２Ｔよりも長いデジタル情報のマークの幅よりも狭い光記憶媒体のジッタを計測する。
【００２７】
また、長さが２Ｔであるデジタル情報のマーク及びスペースが繰り返し記録されたパターンから得られる信号をＩ２ｐｐとし、長さが８Ｔであるデジタル情報のマーク及びスペースが繰り返し記録されたパターンから得られる信号をＩ８ｐｐとしたとき、Ｉ２ｐｐ／Ｉ８ｐｐ＜０．２であってもよい。
【００２８】
また、長さが２Ｔであるデジタル情報のマーク及びスペースの一対の長さをＭＬとし、光ピックアップヘッドが照射する光ビームの波長をλとし、光ピックアップヘッドの集光光学系の開口数をＮＡとしたとき、ＭＬ＜λ／（１．２５・ＮＡ）であってもよい。
【００２９】
また、前記ジッタ計測部は、照射された光の一部が透過する半透過膜からなる第１の記録層と第２の記録層を有する前記光記憶媒体のジッタを計測するものであって、前記第１の記録層に光ビームを照射することにより前記第１の記録層を透過した光が前記第２の記録層に到達して得られる信号のジッタを計測してもよい。
【００３０】
また、光記憶媒体の反射率が変動した場合の復調手段に入力される信号の振幅の変動が小さくなるように利得調整手段を設けてもよい。
【００３１】
本発明に係る光記憶媒体検査方法は、光ビームを光記憶媒体に照射して、前記光記憶媒体から反射された光ビームを受光して、受光した光に基づく信号のジッタを計測することにより光記憶媒体が良品か不良品かを判別する光記憶媒体検査方法であって、前記方法は、
デジタル情報が整数ｋと周期Ｔを基本とする長さがｋＴのマーク又はスペース列として記録されている前記光記憶媒体に光ピックアップから光ビームを照射するステップと、
前記マーク又はスペースで反射した光を受光するステップと、
前記受光した光に基づく信号から、長さが最短のマーク又はスペースに関わるエッジから得られる信号のジッタを除外して、ジッタを計測するステップと、
前記計測したジッタから光記憶媒体が良品か不良品かを判別するステップと
を含むことを特徴とする。これにより上記目的が達成される。
【００３２】
また好ましくは、前記長さが最短のマーク又はスペースは、長さ２Ｔのマーク又はスペースであって、長さが２Ｔであるデジタル情報のマークもしくはスペースに関わるエッジから得られる信号のジッタを除外して、ジッタを計測する。
【００３３】
本発明に係る光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、２つの閾値を用いて前記光記憶媒体に記録された情報を再生する復調手段と
を具備し、
前記光記憶媒体は情報を記録する記録層を有し、前記記録層には周期Ｔを基本として長さがｋＴのデジタル情報がマーク及びスペース列として記録され、ｋは２以上の整数であり、２Ｔのマークの幅が、３Ｔ以上のマークの幅よりも狭く、これにより上記目的が達成される。
【００３４】
本発明に係る別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、最尤復号を用いて前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、長さが２Ｔであるデジタル情報のマークの幅が、長さが２Ｔよりも長いデジタル情報のマークの幅よりも狭く、これにより上記目的が達成される。
【００３５】
本発明に係る更に別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、２つの閾値を用いて前記光記憶媒体に記録された情報を再生する復調手段と
を具備し、
前記光記憶媒体は第１の記録層と第２の記録層を有し、前記第１の記録層は照射された光の一部が透過する半透過膜からなり、前記第１の記録層を透過した光が前記第２の記録層に到達し、前記第１の記録層には、周期Ｔを基本として長さがｋＴのデジタル情報がマークもしくはスペース列として記録され、ｋは２以上の整数であり、これにより上記目的が達成される。
【００３６】
本発明に係る更に別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、最尤復号を用いて前記光記憶媒体に記録された情報を再生する復調手段と
を具備し、
前記光記憶媒体は、第１の記録層と第２の記録層を有し、前記第１の記録層は照射された光の一部が透過する半透過膜からなり、前記第１の記録層を透過した光が前記第２の記録層に到達し、前記第１の記録層には、周期Ｔを基本として長さがｋＴのデジタル情報がマークもしくはスペース列として記録され、ｋは２以上の整数であり、これにより上記目的が達成される。
【００３７】
本発明に係る更に別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録されたデジタル情報を抽出するためのクロック生成手段と、
前記光記憶媒体に記録された情報を再生する復調手段と
を具備し、
前記光記憶媒体は第１の記録層と第２の記録層を有し、前記第１の記録層は照射された光の一部が透過する半透過膜からなり、前記第１の記録層を透過した光が前記第２の記録層に到達し、前記第１の記録層には、周期Ｔを基本として長さがｋＴのデジタル情報がマークもしくはスペース列として記録され、ｋは２以上の整数であり、前記クロック生成手段は長さが２Ｔであるデジタル情報のマークもしくはスペースに関わるエッジから得られる信号を無効にしてクロック信号を生成し、これにより上記目的が達成される。
【００３８】
本発明に係る更に別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録されたデジタル情報を抽出するためのクロック生成手段と、
前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、長さが２Ｔであるデジタル情報のマークの幅が、長さが２Ｔよりも長いデジタル情報のマークの幅よりも狭く、前記クロック生成手段は長さが２Ｔであるデジタル情報のマークもしくはスペースに関わるエッジから得られる信号を無効にしてクロック信号を生成し、これにより上記目的が達成される。
【００３９】
本発明に係る更に別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録されたデジタル情報を抽出するためのクロック生成手段と、
前記光記憶媒体に記録された情報を再生する復調手段と、
トラッキング制御に用いるＴＥ信号生成手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、前記ＴＥ信号生成手段は、前記光記憶媒体に記録されたマークもしくはスペース列のエッジに光ビームが照射された際に生じる信号の変化からＴＥ信号を生成し、前記ＴＥ信号生成手段は、長さが２Ｔであるデジタル情報のマークもしくはスペースに関わるエッジに光ビームが照射された際に生じる信号の変化は無効にしてＴＥ信号を生成し、これにより上記目的が達成される。
【００４０】
上記の光情報装置において好ましくは、記録層が、繰り返し情報を記録及び消去可能である。
また、記録層が、１度だけ情報を記録可能であってもよい。
また、記録層が、読み出し専用であってもよい。
また、第１の記録層が読み出し専用、第２の記録層が１度だけ情報を記録可能であってもよい。
また、第１の記録層が読み出し専用、第２の記録層が繰り返し情報を記録及び消去可能であってもよい。
【００４１】
本発明に係る更に別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、長さが２Ｔであるデジタル情報のマークの幅が、長さが２Ｔよりも長いデジタル情報のマークの幅よりも狭く、長さが２Ｔであるデジタル情報のマーク及びスペースが繰り返し記録されたパターンから得られる長さが３Ｔ以上のデジタル情報のマーク及びスペースが繰り返し記録されたパターンの情報を再生するのに適した閾値と同じレベルになるように、長さが２Ｔのデジタル情報のマークの長さを調整し、これにより上記目的が達成される。
【００４２】
本発明に係る更に別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、マーク及びスペースの長さが適切になるように評価尺度を有しており、前記評価尺度に対して長さが２Ｔよりも長いデジタル情報のマーク及びスペースの長さが適切となるように調整し、これにより上記目的が達成される。
【００４３】
本発明に係る更に別の光情報装置は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、マーク及びスペースの長さが適切になるように評価尺度を有しており、ｋは本来２以上の整数を用いて情報が記録される光記憶媒体に対して、ｋに３以上を選んで情報を記録し、前記評価尺度に対して長さが３Ｔ以上のデジタル情報のマーク及びスペースの長さが適切となるように調整し、これにより上記目的が達成される。
【００４４】
上記の光情報装置において好ましくは、評価尺度がジッタである。
また、評価尺度がエラーレートであってもよい。
また、評価尺度が得られた信号の時間幅であってもよい。
また、光ピックアップヘッドから照射する光ビームの強度を調整することにより、マークの長さを調整してもよい。
また、光ピックアップヘッドから照射する光ビームの時間幅を調整することにより、マークの長さを調整してもよい。
また、長さが２Ｔであるデジタル情報のマークの幅が、長さが２Ｔよりも長いデジタル情報のマークの幅よりも狭い光記憶媒体のジッタを計測してもよい。
【００４５】
また、光記憶媒体は第１の記録層と第２の記録層を有し、前記第１の記録層は照射された光の一部が透過する半透過膜からなり、前記第１の記録層を透過した光が前記第２の記録層に到達し、前記第１の記録層に光ビームを照射することにより得られる信号のジッタを計測してもよい。
また、長さが２Ｔであるデジタル情報のマーク及びスペースが繰り返し記録されたパターンから得られる信号をＩ２ｐｐとし、長さが８Ｔであるデジタル情報のマーク及びスペースが繰り返し記録されたパターンから得られる信号をＩ８ｐｐとしたとき、Ｉ２ｐｐ／Ｉ８ｐｐ＜０．２であってもよい。
また、長さが２Ｔであるデジタル情報のマーク及びスペースの一対の長さをＭＬとし、光ピックアップヘッドが照射する光ビームの波長をλとし、光ピックアップヘッドの集光光学系の開口数をＮＡとしたとき、ＭＬ＜λ／（１．２５・ＮＡ）であってもよい。
【００４６】
また、光記憶媒体の反射率が変動しても復調手段に入力される信号の振幅が変動が小さくなるように、利得調整手段を設けてもよい。
【００４７】
本発明に係る光記憶媒体は、光ビームを照射することにより情報の記録もしくは再生がなされる光記憶媒体において、情報を記録する記録層として第１の記録層と第２の記録層を有し、第１の記録層が読み出し専用の記録層であり、第２の記録層が１度だけ情報を記録可能な記録層であり、第１の記録層が、第２の記録層よりも光ビームの入射する側に位置し、これにより上記目的が達成される。
【００４８】
本発明に係る別の光記憶媒体は、光ビームを照射することにより情報の記録もしくは再生がなされる光記憶媒体において、情報を記録する記録層として第１の記録層と第２の記録層を有し、第１の記録層が読み出し専用の記録層であり、第２の記録層が繰り返し情報を記録及び消去可能な記録層であり、第１の記録層が、第２の記録層よりも光ビームの入射する側に位置し、これにより上記目的が達成される。
【００４９】
本発明に係る光記憶媒体は、同心円状あるいはスパイラル状に形成された複数のトラックを有し、光ビームを前記トラックの記録面に照射してマークおよび、マークとマークの間のスペースで情報を記録する光記憶媒体において、最短マークおよび／または最短スペースに隣接するエッジを除いた信号が第１の再生信号品質を有し、これにより上記目的が達成される。
【００５０】
また、最短マークおよび／または最短スペースに隣接するエッジを含む信号が第２の再生信号品質を有しても良い。
また、第１の再生信号品質が第２の再生信号品質より高くても良い。
また、再生信号品質としてジッタを検出しても良い。
また、始端エッジのジッタと終端エッジのジッタを区別しても良い。
また、再生信号品質としてエラーレートを検出しても良い。
【００５１】
また、光記憶媒体は複数の記録層を有し、層毎に再生信号品質を設定しても良い。
また、記録時に光ピックアップヘッドから最も遠い層の品質が最も高く設定しても良い。また、再生信号品質の閾値を光記憶媒体の所定領域に記載しても良い。
また、所定領域は再生専用領域であっても良い。
また、所定の再生信号品質を有するトラックは、隣接するトラックにも信号が記録されていても良い。
また、所定の再生信号品質を有するトラックへの記録は、隣接するトラックへの記録前に行われていても良い。
【００５２】
また、隣接するトラックに記録する際のレーザ光の照射パワーが、所定の再生信号品質を有するトラックに記録する際のレーザ光の照射パワーよりも大きくても良い。
また、所定の再生信号品質を有するトラックへの記録は、隣接する一方のトラックへの記録後に行われていても良い。
また、所定の再生信号品質を有するトラックへの記録は、隣接する両方のトラックへの記録後に行われていても良い。
また、所定の再生信号品質を有するトラックは複数回の記録が行われていても良い。
【００５３】
また好ましくは、所定の回数の全ての記録において、所定の再生信号品質を有する。
また、第１の照射パワーで記録後に第２の照射パワーで記録し、第１の照射パワーが第２の照射パワーよりも大きくても良い。
【００５４】
本発明に係る光情報装置は、同心円状あるいはスパイラル状に形成された複数のトラックを有し、光ビームを前記トラックの記録面に照射してマークおよび、マークとマークの間のスペースで情報を記録する光記憶媒体において、最短マークおよび／または最短スペースに隣接するエッジを除いた信号が第１の再生信号品質を有する光記憶媒体を再生する光情報装置であり、これにより上記目的が達成される。
【００５５】
本発明に係る光情報装置は、同心円状あるいはスパイラル状に形成された複数のトラックを有し、光ビームを前記トラックの記録面に照射してマークおよび、マークとマークの間のスペースで情報を記録する光記憶媒体において、最短マークおよび／または最短スペースに隣接するエッジを除いた信号が第１の再生信号品質を有し、最短マークおよび／または最短スペースに隣接するエッジを含む信号が第２の再生信号品質を有する光記憶媒体を再生する光情報装置であり、これにより上記目的が達成される。
【００５６】
本発明に係る光情報装置は、最短マークおよび／または最短スペースに隣接するエッジを除いた信号が第１の再生信号品質を有するように記録する光情報装置であって、
信号を記録する手段と、
記録した信号を再生する手段と、
再生信号における最短マークもしくは最短スペースを検出する手段と、
検出した最短マークもしくは最短スペースに隣接するエッジを除いた信号における再生信号品質を検出する再生信号品質検出手段と
を有し、これにより上記目的が達成される。
【００５７】
また、最短マークおよび／または最短スペースに隣接するエッジを含む信号が第２の再生信号品質を有するように記録しても良い。
また、第１の再生信号品質が第２の再生信号品質より高くても良い。
また、再生信号品質としてジッタを検出しても良い。
また、始端エッジのジッタと終端エッジのジッタを区別しても良い。
また、再生信号品質としてエラーレートを検出しても良い。
【００５８】
また、光記憶媒体は複数の記録層を有し、層毎に再生信号品質を設定しても良い。
また、記録時に光ピックアップヘッドから最も遠い層の品質を最も高く設定しても良い。
また、再生信号品質の閾値を光情報装置の所定領域に記載しても良い。
また、所定の再生信号品質を有するトラックは、隣接するトラックにも信号が記録されていても良い。
また、所定の再生信号品質を有するトラックへの記録は、隣接するトラックへの記録前に行われていても良い。
また、隣接するトラックに記録する際のレーザ光の照射パワーが、所定の再生信号品質を有するトラックに記録する際のレーザ光の照射パワーよりも大きくても良い。
【００５９】
また、所定の再生信号品質を有するトラックへの記録は、隣接する一方のトラックへの記録後に行われていても良い。
また、所定の再生信号品質を有するトラックへの記録は、隣接する両方のトラックへの記録後に行われていても良い。
また、所定の再生信号品質を有するトラックは複数回の記録が行われていても良い。
【００６０】
また好ましくは、所定の回数の全ての記録において、所定の再生信号品質を有する。
また、第１の照射パワーで記録後に第２の照射パワーで記録し、第１の照射パワーが第２の照射パワーよりも大きくても良い。
【００６１】
本発明に係る光情報装置は、再生信号品質結果によって記録時の照射パワーを決定し、これにより上記目的が達成される。
また好ましくは、照射パワーの決定をユーザがデータを記録するユーザ領域以外の領域で行う。
【００６２】
上記発明に係る光記憶媒体検査装置の構成によれば、最短の長さのマーク及びスペースに関するジッタを除いてジッタを計測して、光記憶媒体が良品か不良品かを判断している。具体的には、２つの閾値を用いて最短マークを識別している。これによって、２つの情報記録面を同じ情報の記録密度として記録している２層光記憶媒体を用いた場合に、光ピックアップに近い記録層でマークが所望の大きさよりも小さくなってジッタが劣化した場合の影響を軽減でき、確実に良品・不良品を判断できる。また、光情報装置に適用した場合には、同様に最短の長さのマーク及びスペースによるジッタの劣化の影響を軽減できるので、２面の情報記録面のそれぞれについて高い信頼性で再生できる。また、最短のマーク及びスペースに関するジッタがより長いマーク及びスペースに関するジッタより悪い光記憶媒体を用いても、高い信頼性で情報を記録再生できる。
【図面の簡単な説明】
【００６３】
【図１】本発明の実施の形態１の光情報装置の構成の概略を示す図である。
【図２】本発明の実施の形態１の光情報装置を構成する信号処理部の構成を示す図である。
【図３】本発明の実施の形態１の光情報装置で得られるＲＦ信号の様子を示す図である。
【図４】本発明の実施の形態１の光情報装置における光記憶媒体上のマークとクロック信号の関係を示す図である。
【図５】本発明の実施の形態１の光情報装置における光記憶媒体上のマークの長さと信号振幅の関係を示す図である。
【図６】本発明の実施の形態１の光情報装置における記録パルスの様子を示す図である。
【図７】本発明の実施の形態２の光記憶媒体の構成の概略を示す図である。
【図８】本発明の実施の形態３の光情報装置を構成する信号処理部の構成を示す図である。
【図９】本発明の実施の形態４における光情報装置のブロック図である。
【図１０】本発明の実施の形態４における光記憶媒体のトラック構成図である。
【図１１】本発明の実施の形態４におけるピークパワーとジッタの相関図である。
【図１２】本発明の実施の形態４におけるフローチャートである。
【図１３】本発明の実施の形態４におけるフローチャートである。
【図１４】本発明の実施の形態４における光情報装置のブロック図である。
【図１５】本発明の実施の形態４における光情報装置のブロック図である。
【図１６】本発明の実施の形態４における光情報装置のブロック図である。
【図１７】本発明の実施の形態４における光情報装置のブロック図である。
【図１８】本発明の実施の形態４における光情報装置の出力信号の説明図である。
【図１９】本発明の実施の形態４における光情報装置の出力信号の説明図である。
【図２０】従来の光情報装置における光ピックアップヘッドの構成の概略を示す図である。
【図２１】従来の光情報装置における光記憶媒体上のトラックとビームの関係を示す図である。
【図２２】従来の光情報装置における光ピックアップヘッドを構成する光検出器とビームの関係を示す図である。
【図２３】従来の光情報装置で得られるＲＦ信号の様子を示す図である。
【図２４】従来の光情報装置のブロック図である。
【図２５】従来の光記憶媒体のトラック構成図である。
【図２６】従来の光情報装置におけるピークパワーとジッタの相関図である。
【図２７】従来の光情報装置におけるフローチャートである。
【発明を実施するための形態】
【００６４】
以下、本発明の光情報装置の実施形態について添付の図面を参照して説明する。なお、各図面において同一の符号は同一の構成要素または同様の作用、動作をなすものを表す。
【００６５】
（実施の形態１）
図１は、本発明の実施の形態１に係る光情報装置の構成の一例を示す図である。この光情報装置は、光ピックアップヘッド８０と、光記憶媒体駆動部８１と、光ピックアップヘッド駆動部８２と、信号処理部８３と、電源部８４とを備えている。図では電源部８４を設ける構成としているが、電源部８４の替わりに外部電源（図示せず）との接続端子（図示せず）を設け、外部電源と接続端子とを接続することにより電源を供給する構成としてもよい。また、光ピックアップヘッド８０の構成には全く制約はなく、本実施の形態における光ピックアップヘッドは、図９に示す従来の構成と同様である。
【００６６】
次に各構成部材の機能について説明する。光記憶媒体駆動部８１は、光記憶媒体４１を回転させる。光ピックアップヘッド８０は、光ピックアップヘッド８０と光記憶媒体４１との位置関係に対応する信号を信号処理部８３へ送る。信号処理部８３は、送られた信号を増幅または演算してフォーカス誤差信号及びＴＥ信号を生成し、光ピックアップヘッド８０または光ピックアップヘッド内の対物レンズを微動させる。また、光ピックアップヘッド８０は、光記憶媒体４１に記録された情報を読み出した信号を信号処理部８３へ送る。信号処理部８３では光記憶媒体４１に記録された情報の復調を行う。アクチュエータ９１、９２は光ピックアップヘッド８０内の対物レンズを駆動する。光ピックアップヘッド駆動部８２は、一般にトラバースメカニズムと呼ばれており、光ピックアップヘッド８０から出射されるビームが光記憶媒体４１の所望の位置に集光されるように、光ピックアップヘッド８０の位置を移動させる。前記信号と光ピックアップヘッドの駆動部８２もしくはアクチュエータ９１、９２によって、光記憶媒体４１に対してフォーカスサーボとトラッキングサーボが行われ、情報の読み出しもしくは書き込みまたは消去が行われる。電源部８４から信号処理部８３、光ピックアップヘッド駆動部８２、光記憶媒体駆動部８１及びアクチュエータ９１、９２へ電源が供給される。
【００６７】
なお、電源もしくは外部電源との接続端子は、各駆動回路にそれぞれ設けても何ら問題ない。光記憶媒体４１は、図７に示すように、従来の光記憶媒体４０と同様に２つの情報記録面４１ｂと４１ｃを有している。情報記録面４１ｂは、半透過膜である。本光記憶媒体４１が従来の光記憶媒体４０と異なる点は、従来の光記憶媒体４０では８−１６変調すなわち、最短マーク及びスペースの長さが３Ｔである変調方式によって情報を記録していたが、本光記憶媒体４１では、１−７変調すなわち、最短マーク及びスペースの長さが２Ｔであり、マーク長が制限されている変調方式で情報を記録していることである。一般に、マーク長が制限されている変調は、ＲＬＬ（Ｒｕｎ  Ｌｅｎｇｔｈ  Ｌｉｍｉｔｅｄ）と表現されており、今回の場合、ＲＬＬ（１，７）とも表現される。
【００６８】
図２は、信号処理部８３の具体的構成の一例を説明する図であって、情報を復調する部分の構成及び光記憶媒体に情報を記録する際に用いる記録信号を生成する部分の構成を示す図である。
【００６９】
光ピックアップヘッド８０から出力された信号は、イコライザ部８０１に入力される。光学的な周波数特性に依存して光ピックアップヘッド８０から出力される信号は、高域成分が低下しているので、イコライザ部８０１では入力された信号の高域成分を強調して、光学的に劣化している信号の高域成分の低下を補正する。
【００７０】
イコライザ部８０１から出力される信号は、自動利得調整部８１０で、信号振幅が一定となるように増幅利得が自動的に調整される。自動利得調整部８１０がなくても光情報装置は機能するので、省略することも可能であるが、自動利得調整部８１０を設けることにより、光記憶媒体４１の反射率が変動した場合にもその影響を受けにくくなるので、光情報装置の信頼性が向上する。また、自動利得調整部８１０は、イコライザ部８０１の前段に設けても構わない。自動利得調整部８１０から出力される信号は、２値化部８０４とパーシャルレスポンス部８０２にそれぞれ入力される。
【００７１】
２値化部８０４では、入力された信号を１と０の２値に２値化する。２値化された信号はクロック信号生成部８０５に入力され、クロック信号生成部８０５では、光記憶媒体４１に記録された信号に応じたタイミングを有するクロック信号を生成する。クロック信号生成部８０５は、位相比較器、ローパスフィルタ、ＶＣＯ、等からなる一般的なフェーズロックドループ（以下ＰＬＬとする）を有する構成のものを用いることができる。しかしながら、１−７変調を用いる場合、２Ｔのマーク及びスペースから得られる信号のＳ／Ｎは悪い場合が多い。このとき、全てのマーク及びスペースのエッジを用いてクロック信号を生成した場合には、クロック信号のジッタが増加して、光記憶媒体に記録された情報を忠実に再生できないことも生じる。
【００７２】
ここでは、光情報装置を最初に起動したときには、全てのマーク及びスペースのエッジを用いてクロック信号を生成し、ＰＬＬが引き込みをした後には、２Ｔのマーク及びスペースに関するエッジに関係する位相比較結果を除外してクロック信号を生成している。２Ｔのマーク及びスペースの識別はパーシャルレスポンス部８０２が行い、２Ｔのマーク及びスペースを識別した結果はパーシャルレスポンス部８０２からクロック信号生成部８０５に送られる。光情報装置を最初に起動するときには、全てのマーク及びスペースのエッジを用いることによって、ＰＬＬの引き込みを行い易くなる。一方、ＰＬＬが引き込みをした後には、２Ｔのマーク及びスペースに関するエッジに関係する位相比較結果を除外することによって、クロック信号のジッタを下げることができる。したがって、本実施の形態の光情報装置におけるクロック信号生成部８０５は、光記憶媒体の記録密度を高めて、２Ｔのマーク及びスペースから得られる信号のＳ／Ｎが悪くなったとしても、ジッタの少ないクロック信号を出力し、その分、情報を信頼性高く再生することができる。
【００７３】
クロック信号生成部８０５で生成されたクロック信号は、光記憶媒体駆動信号生成部８０６とパーシャルレスポンス部８０２に入力される。光記憶媒体駆動信号生成部８０６では入力された信号に応じて、光記憶媒体４１の駆動速度を制御するための光記憶媒体駆動信号を生成する。光記憶媒体駆動信号生成部８０６で生成された光記憶媒体駆動信号は、光記憶媒体駆動部８１に供給される。パーシャルレスポンス部８０２から出力される信号は、復調部８０３に入力されて、光記憶媒体４１に記録された信号の復調が行われる。
【００７４】
図３は、パーシャルレスポンスで設定される閾値（ＳＬ１、ＳＬ２）とアイパターンの関係を示している。閾値としては、２Ｔのマークから得られる信号と３Ｔのマークから得られる信号の間に第１の閾値ＳＬ１を、及び２Ｔのスペースから得られる信号と３Ｔのスペースから得られる信号の間に第２の閾値ＳＬ２をそれぞれ設定している。パーシャルレスポンス部８０２では、自動利得調整部８１０から出力された信号を、クロック信号のエッジのタイミングで、サンプリングし、マーク及びスペースの長さの識別を行う。第１の閾値ＳＬ１と第２の閾値ＳＬ２を設定することにより、２Ｔの信号振幅が小さいときに、マーク及びスペースが２Ｔであるということを精度よく識別できる。また、パーシャルレスポンス部に（１、２、２、１）等、他のクラスを用いた場合でも、ビタビ復号等の最尤復号を併用することにより、すなわちＰＲＭＬ（Ｐａｒｔｉａｌ  Ｒｅｓｐｏｎｓｅ  Ｍａｘｉｍｕｍ  Ｌｉｋｅｌｉｈｏｏｄ）を用いることにより、２Ｔのマーク及びスペースから得られる信号振幅が小さいときでも、マーク及びスペースが２Ｔであるということを精度よく識別できる。
【００７５】
図４は、クロック信号生成部８０５で生成されたクロック信号ＣＬＫと、光記憶媒体４１の情報記録面４１ｂ及び４１ｃに記録されたマークとの関係を示している。マーク９０２ａ〜９０２ｃは、長さ２Ｔのマークを、マーク９０３は、長さ３Ｔのマークであり、ここでは、それぞれ長さ０．１５μｍと、長さ０．２２５μｍである。情報記録面４０ｃに記録された２Ｔと３Ｔのマークは、それぞれマーク９０２ａと９０３であり、それぞれのマークの幅Ｗは等しい。一方、情報記録面４０ｂに記録された２Ｔと３Ｔのマークは、それぞれマーク９０２ｂと９０３であり、マーク９０２ｂはマーク９０２ａと比べて、幅Ｗ、長さＬ共に小さくなってしまう。マークを記録する条件を変えることにより、マーク９０２ｂをマーク９０２ｃのようにすることはできる。このとき、マーク９０２ｂの長さＬを長くすることができるが、幅Ｗは依然としてマーク９０２ａよりも小さいままである。以上のことをまとめると、次のようになる。まず、情報記録面４０ｃには長さ２Ｔのマークを形成した場合にも長さ３Ｔのマークと同様の幅とすることができる。一方、情報記録面４０ｂに２Ｔのマークを記録した場合には３Ｔのマークに比べて十分な幅とすることができない。これは、情報記録面４０ｂを半透過膜としているために、情報記録面４１ｂにおける熱の拡散時間が遅く、記録したマークに対して一種の消去作用が働くためである。
【００７６】
この現象は、記録膜に相変化材料を用いた場合だけではなく、光磁気材料、等、熱を用いて情報の記録、消去を行う場合には、いずれの場合においても生じる。なお、４Ｔ以上のマークは、３Ｔのマークと同じ幅である。マークの大きさの減少は、マークの長さが短い程著しく、通常、λ／（ＮＡ×２．５）以下のとき影響が無視できなくなる。すなわち、ＮＡを０．８５、λを０．４０５μｍとしたときには、マーク長が０．１９０μｍ以下で、この影響が無視できなくなる。マークの大きさが減少する条件では、アイパターンのアイの開口率が低下し、結果として、２値化した後のジッタが増加する。すなわち、最短のマーク及びスペースの長さが２Ｔの場合には、それより長い３Ｔ以上のマークおよびスペースに比べてジッタが相対的に大きくなることを意味している。
【００７７】
本実施の形態では、２Ｔのマーク長を０．１５μｍ、３Ｔのマーク長を０．２２５μｍとしているため、先に述べたように、２Ｔのマークが、他のマークよりも幅が細くなり、２値化した後のジッタは著しく増加する。そこで、この実施の形態では、閾値を２つ設けて、パーシャルレスポンスによる信号の検出を行っている。２Ｔマークの幅が細くなったとしても、２つの閾値を超えるＲＦ信号とはならず、情報の検出に悪影響を与えない。すなわち、情報記録面４０ｂに記録された２Ｔのマークの幅が細くなったとしても、情報を信頼性高く再生することができる。
【００７８】
図５は、マークの長さと信号振幅の関係を示している。図５において、横軸は、λ／（ＭＬ・ＮＡ）である。ここで、λは光源の波長、ＮＡは光ピックアップヘッドが有する対物レンズの開口数、ＭＬは同じ長さのマークとスペースを一対としたときの長さである。一方、縦軸は、Ｉ２ｐｐ／Ｉ８ｐｐが２Ｔのマークとスペースを一対としたときに得られる信号振幅を８Ｔのマークとスペースを一対としたときに得られる信号振幅で割った値である。また、Ｉ３ｐｐ／Ｉ８ｐｐが３Ｔのマークとスペースを一対としたときに得られる信号振幅を８Ｔのマークとスペースを一対としたときに得られる信号振幅で割った値である。
【００７９】
図５からわかることについて説明する。λ／（ＭＬ・ＮＡ）が約１．２５のとき、Ｉ２ｐｐ／Ｉ８ｐｐが０．２、Ｉ３ｐｐ／Ｉ８ｐｐが０．６であり、したがって、Ｉ２ｐｐとＩ３ｐｐの比は３倍である。２Ｔのマーク幅が３Ｔのマーク幅よりも狭くなると、さらにこの比は増大する。λ／（ＭＬ・ＮＡ）が１．２５よりも大きいとき、さらにＩ２ｐｐ／Ｉ８ｐｐが急激に低下するので、Ｉ２ｐｐ／Ｉ８ｐｐの低下に伴って相対的に、Ｉ２ｐｐに対する光記憶媒体、レーザ、回路、等によるノイズの割合が急激に増加するので、従来の２値化信号を単純に検出する方式では、２Ｔのマーク及びスペースに関係するエッジのジッタが悪化する。
【００８０】
一方、２つの閾値を設けたときの、２Ｔ及び３Ｔのマークもしくはスペースから得られる信号と閾値の間隔は広くなり、すなわち、長さ２Ｔのマーク及びスペースと長さ３Ｔのマーク及びスペースとの違いを識別することが容易になる。したがって、ＭＬが一対の２Ｔのマークとスペースの長さであり、λ／（ＭＬ・ＮＡ）が１．２５よりも大きいとき、２つの閾値を設けるパーシャルレスポンス部や、ＰＲＭＬを用いることが有効になる。
【００８１】
なお、ここでは、光記憶媒体４１に２つの記録層を有する場合について説明したが、本発明はこの場合に限られない。例えば、光記憶媒体の記録層が、２Ｔのマークが３Ｔ以上のマークよりも細くなるという特性を有している場合や、ＭＬが一対の２Ｔのマークとスペースの長さであり、λ／（ＭＬ・ＮＡ）が１．２５よりも大きい場合には、記録層の数に関係なく、いずれの場合にも、本発明の光情報装置を用いることによって情報を信頼性高く再生することができることは言うまでもない。また、本発明の光情報装置は、何度も記録可能な光記憶媒体の記録・再生用に限定されるわけではなく、１度だけ記録可能な光記憶媒体や、読み出し専用の光記憶媒体に対しても有効である。
【００８２】
例えば、読み出し専用の光記憶媒体を作製する際のマスターリング工程において、レーザビームを用いて原盤のカッティングを行った場合には２Ｔマークの幅が３Ｔ以上のマークの幅よりも狭くなることが起こり得る。原盤のカッティングに適用できるレーザの最短波長が２７０ｎｍ程度、対物レンズの最大開口数が０．９程度であることを考慮して、最短マークの長さが０．２μｍ、トラックピッチが０．４μｍよりも小さい高密度の読み出し専用の光記憶媒体を作製する場合には、特に２Ｔのマーク幅が３Ｔ以上のマーク幅よりも細くなることは避けられない。この場合にも本実施の形態の光情報装置の効果が特に発揮される。
【００８３】
レーザビームを用いて原盤のカッティングを行う際にレジスト膜に非線形透過膜を用いて、小さなマークを形成する方法もあるが、このときも２Ｔマークの幅が３Ｔ以上のマークの幅よりも狭くなることは、特によく起こり得る。この場合にも本実施の光情報装置の効果が特に発揮される。電子ビームを用いて原盤のカッティングを行う場合には、２Ｔマークの幅を３Ｔマークの幅と同様にすることができるが、カッティングに要する時間がレーザビームを用いる場合と比較して遙かに長いため、それだけ光記憶媒体のコストが増大する。本実施の光情報装置を用いることにより、レーザビームで原盤のカッティングを行って、安価な光記憶媒体を提供することができる。
【００８４】
また、最短マークは長さ２Ｔに限定されるものではなく、最短マークの幅が、最短マークよりも長いマークの幅より狭い場合、本発明の効果を得ることができ、例えば最短マークが３Ｔであってもよい。
【００８５】
なお、ここでは従来と同様の光ピックアップヘッドを用いたが、光記憶媒体にビームを照射して、光記憶媒体から反射されたビームに応じた信号を出力するものであれば、如何なる構成の光ピックアップヘッドであってもよい。また、光記憶媒体に記録されたＲＦ信号を用いてクロックを生成しているが、トラックをウォブルした溝として、そのウォブルのタイミングからクロック信号を生成する方法等、従来から用いられているクロック信号の生成方法は全て適用できる。
【００８６】
次に、情報を記録する系を説明する。
（ａ）デジタルパターン発生部８０７は、音楽、映像、コンピュータのデータ、等の情報を１−７変調の変換規則に基づいて、所望のデジタル情報パターンに変換する。さらに、デジタルパターン発生部８０７は、光記憶媒体に最適な記録条件を学習するために、単一パターン、ランダムパターン、特定のマーク及びスペース長の組み合わせからなる特殊パターン、等を生成する機能も有する。
（ｂ）デジタルパターン発生部８０７で生成されたデジタル情報パターンは、記録パルス発生部８０８に入力される。
（ｃ）記録パルス発生部８０８は、入力されたデジタル情報パターンに基づいて、光記憶媒体にマーク及びスペースを記録するのに適した記録パルス信号を生成する。記録パルス信号は、幅、振幅、タイミング等を調整できる。更に、光記憶媒体の固有情報、学習した最適結果、光記憶媒体に記録されている記録条件、等の情報を格納しておくメモリも有している。そのため、一度学習を行った光記憶媒体や、既に最適な記録条件が光記憶媒体に記録されている光記憶媒体に対して記録を行う場合には、記録条件の学習時間が短縮できるようになっている。
（ｄ）記録パルス発生部８０８で生成された記録パルス信号は、レーザ駆動部８０９に入力される。
（ｅ）レーザ駆動部８０９では、入力された記録パルス信号に基づいて、光ピックアップヘッドを構成する光源である半導体レーザ光源の出力を制御することにより、光記憶媒体の記録層に情報の記録を行う。
【００８７】
図６は、３Ｔのマークを記録するときの記録パルス信号を示している。ここでは、マーク長に応じてパルス数を増やしており、３Ｔマークではパルス数が３つ、５Ｔマークではパルス数が５つである。破線は、クロック信号のエッジのタイミングを示している。ＰＴＷ１、ＰＴＷ２、ＰＴＷ３は記録パルスの幅、ＴＦ１、ＴＦ２、ＴＦ３はクロック信号のエッジのタイミングから記録パルスの立ち上がりエッジまでの遅延時間、ＰＷ１、ＰＷ２、ＰＷ３は記録パルスのピークパワー、ＰＢ１、ＰＢ２、ＰＢ３はバイアスパワーである。
【００８８】
これらの値は、光記憶媒体が有する特性及び記録するマークの長さと前後のスペースの長さに応じて最適化される。したがって、ＰＷ１〜ＰＷ３は異なる値をとり得る。ＰＴＷ１〜ＰＴＷ３、ＰＢ１〜ＰＢ３についても同様である。勿論、レーザ駆動部８０９の特性に応じて、ＰＷ１〜ＰＷ３及びＰＢ１〜ＰＢ３を各々等しくして、ＰＴＷ１〜ＰＴＷ３を調整することにより最適化する場合もあれば、ＰＴＷ１〜ＰＴＷ３を一定として、ＰＷ１〜ＰＷ３及びＰＢ１〜ＰＢ３を最適化してもよい。
【００８９】
また、他の長さのマークやスペースに対しても同様に、最適なパワー、幅、遅延時間、等を設定する。また、遅延時間については、光記憶媒体の特性によって、正負どちらの値にもなり得る。記録条件の学習は、ここでは１−７変調したランダム信号を光記憶媒体に記録し、２Ｔ〜８Ｔのマーク及びスペースから得られる信号の時間幅の平均値が、それぞれＴの整数倍で等しくなるように記録パルスを調整している。このことにより、２Ｔのマーク及びスペースの平均値を、３Ｔ以上の長さのマーク及びスペースから得られる信号を２値化する際に設定される閾値と一致させることができる。２Ｔのマーク及びスペースの平均値と３Ｔ以上の長さのマーク及びスペースから得られる信号を２値化する際に設定される閾値と一致させることにより、２つの閾値を設定して情報を再生する際に、最も誤りを起こす確率が低くなり、信頼性の高い光情報装置を提供することができる。
【００９０】
また、２Ｔのマークもしくはスペースと隣接しない３Ｔ以上の長さのマーク及びスペースに関しては、ジッタもしくはエラーレートを評価関数として、記録パルスの最適化を図ってもよい。このときには、マーク及びスペースから得られる信号の時間幅だけで最適化を行うよりも、誤りを起こす確率が低くなり、更に信頼性を高めることができる。また、このとき、２Ｔのマーク及びスペースを除いて記録し、記録条件の最適化を行ってもよい。そのときには、２Ｔのエッジを識別して除外する必要がなくなるので、より簡単に且つ短時間で記録条件の学習ができる。
【００９１】
また、許される範囲で記録条件の最適化を図った後に情報を記録したとき、２Ｔのマーク及びスペースに隣接したエッジに関する結果を除外したジッタが、所望の値を上回るときには、光記憶媒体が情報を記録するのに適さないと判断して、光記憶媒体に本来記録しようとする情報を記録しないようにする。さらには、光記憶媒体が情報を記録するには適さない旨を示す警告を出してもよい。そうすることにより、貴重な情報を光記憶媒体に記録する際には、高い信頼性で再生できることが保証されるようになる。
【００９２】
従来、全てのマーク及びスペースのエッジに関するジッタの値で評価していた。この場合、２Ｔのマーク及びスペースに隣接するエッジのジッタが悪いのか否かを判断できなかった。すなわち、２Ｔのマーク及びスペースに隣接しないエッジのジッタが、２Ｔのマーク及びスペースに隣接したエッジのジッタよりも遙かに小さい場合と、２Ｔのマーク及びスペースに隣接しないエッジのジッタが、２Ｔのマーク及びスペースに隣接したエッジのジッタと同様の場合との識別はできなかった。そのため単に全てのエッジに関するジッタの値が所望の値よりも大きいか小さいかということで、光記憶媒体が情報の記録に適しているか適していないかを判別していた。しかし、この場合、同じジッタ値を示す光記憶媒体であっても、ＰＲＭＬを用いて情報の再生を行ったとき、エラーレートには大きな違いがあった。情報を信頼性よく記録再生するためには、ジッタの基準値を低く保つことで、確実にエラーレートが低い光記憶媒体を識別しなければならず、ＰＲＭＬを用いた場合に十分に低いエラーレートが得られる光記憶媒体も情報の記録に適さない光記憶媒体として扱わなければならなかった。
【００９３】
一方、本実施の形態の光情報装置によれば、２Ｔのマーク及びスペースに隣接したエッジに関する結果を除外したジッタを評価関数しており、この場合には、ジッタの値とＰＲＭＬを用いた場合のエラーレートとは非常に強い相関が有る。そのため、ジッタの基準値を従来よりも高く設定することができ、ＰＲＭＬを用いた場合に低いエラーレートが得られる光記憶媒体を確実に識別することができる。したがって、光記憶媒体を製造する際の歩留まりが向上し、安価な光記憶媒体を提供できるようになる。勿論、この光記憶媒体は、ＰＲＭＬを用いた場合だけではなく、２つの閾値を有するパーシャルレスポンスを用いる場合も同様に許容できる。また、ジッタを評価関数とした場合には、エッジの数は１０００〜１００００程度でよいが、エラーレートを評価関数とした場合には、エッジの数は１０００００〜１００００００程度が必要となる。したがって、評価関数にジッタを用いることで、評価関数にエラーレートを用いる場合と比較して、評価に要する時間は、遙かに短い時間で済むので、光記憶媒体の生産性が向上する。
【００９４】
（実施の形態２）
図７は、本発明に係る別の光記憶媒体の一例として、光記憶媒体の構成を示した図である。光記憶媒体４１は、透明な保護層４１ａと２つの記録層４１ｂ、４１ｃを有している。光記憶媒体４０と光記憶媒体４１で異なる点は、情報記録面４１ｃは何度も書き換え可能な記録層であるが、情報記録面４１ｂは、読み出し専用の記録層であるという点である。情報記録面４１ｂには、エンボスとしてマークが形成されている。また、最短マーク及びスペースは２Ｔである。また、情報記録面４１ｂの透過率は、５０％よりも高く設定しており、ここでは、８０％としている。記録層４１ｂの透過率は読み出し専用のため、透過率は、どの位置でもほぼ一定である。読み出し専用の記録層である情報記録面４１ｂを記録可能な情報記録面４１ｃよりも光が入射する側に配置することで、情報記録面４１ｂの透過率が一定なことから、情報記録面４１ｃに照射されるビームのパワーが安定し、所望の情報を記録再生することができる。また、情報記録面４１ｂの透過率は読み出し専用のため、情報記録面４１ｂの透過率を５０％よりも高く設定できる。そのため、情報記録面４１ｃに記録する際に必要な、光ピックアップヘッドを構成するレーザの出射するパワーは少なくてもよく、レーザの寿命が長くなるので、長期間使える光情報装置を構成することができる。また、情報記録面４１ｃに記録された情報を読み出す際にも、情報記録面４１ｂの透過率を高くしている分、光検出器に入射するビームの光量は大きくなるので、その分Ｓ／Ｎが良くなり、信頼性高く情報を再生することができる。
【００９５】
なお、ここでは情報記録面４１ｃを何度も書き換え可能な記録層としたが、１度だけ記録可能な記録層としてもよい。
【００９６】
また、記録層を３層以上設けて、１つの層だけを記録可能な記録層とし、残りの記録層は読み出し専用の記録層とするときには、光ピックアップヘッドからのビームが入射する側に読み出し専用の記録層を配置し、光ピックアップヘッドからのビームが入射する側から最も遠い位置に記録可能な記録層を設けることで、同様な効果を得ることができる。
【００９７】
なお、本実施の形態の光記憶媒体は、変調方式に関しては全く制約がなく、如何なる変調方式も適用できる。
【００９８】
（実施の形態３）
図８は、本発明に係る別の光情報装置の一例として、長さが最短のマーク及びスペースとして２Ｔのマーク及びスペースが形成された後の光記憶媒体から位相差法（ＤＰＤ法ともいう）によりＴＥ信号を生成する光情報装置の構成を示した図である。
【００９９】
光記憶媒体には、例えば、実施の形態２に示す光記憶媒体４１のように、エンボスでマークが形成されている記録層を有する光記憶媒体を用いることができる。本光情報装置は、ファーフィールド領域におけるビームを分割して光検出器で受光し、位相比較可能な信号を出力可能な光ピックアップヘッドであれば、如何なる光ピックアップヘッドも用いることができる。ここでは、最も一般的に用いられている、図９に記載の光ピックアップヘッドを用いて説明する。
【０１００】
（ａ）光検出器３２の受光部３２ａ〜３２ｄから出力される信号は、信号処理部８５に入力される。
（ｂ）信号処理部８５に入力された受光部３２ａ〜３２ｄから出力された信号は、加算部８２０で加算された後、自動利得調整部８１０に入力される。
（ｃ）自動利得調整部８１０では、入力された信号振幅が所望の大きさとなるように利得が自動的に調整されて増幅される。
（ｄ）自動利得調整部８１０から出力された信号は、イコライザ部８２２に入力されて、信号の高い周波数成分が強調された後、識別部８２１に入力される。
（ｅ）識別部８２１では、入力された信号のうち、長さが２Ｔのマーク及びスペースのエッジに関するタイミングのときに保持信号を生成して出力する。
（ｆ）受光部３２ａ〜３２ｄから出力された信号は、イコライザ部８２２にも入力され、４つの信号はそれぞれ、高い周波数成分が強調された後、位相比較部８２３に入力される。
（ｇ）位相比較部８２３では、入力された信号の振幅の変化のタイミングに応じた信号を出力する。
（ｈ）位相比較部８２３から出力された信号は、ホールド部８２４を経た後、駆動信号生成部８２５に入力される。
（ｉ）ホールド部８２４では、２Ｔのマーク及びスペースのエッジに関するタイミングのときの信号は無効として、駆動信号生成部８２５に出力しない。
（ｊ）駆動信号生成部８２５では、入力された信号を所望の大きさに増幅し、位相補償、帯域制限等の処理を行ったのちトラッキング制御用のアクチュエータを制御するために用いられる信号を出力する。
【０１０１】
１−７変調を用いる場合、２Ｔのマーク及びスペースから得られる信号のＳ／Ｎは、他の２Ｔよりも長いマーク及びスペースから得られる信号よりも悪いことが多い。全てのマーク及びスペースのエッジを用いてＴＥ信号を生成した場合には、２Ｔのマーク及びスペースに関するエッジのタイミングの検出精度が非常に悪く、ＴＥ信号のＳ／Ｎを大きく劣化させ、その分、トラッキング制御の精度が低下してしまう。２Ｔのマーク及びスペースに関するエッジに関係する位相比較結果を除外してＴＥ信号を生成することにより、単位時間当たりのタイミングの検出数は減少するため、トラッキング制御の帯域を高められない可能性も考えられるが、Ｓ／Ｎの改善効果が遙かに大きいため、全てのマーク及びスペースのエッジのタイミングを用いてＴＥ信号を生成するときよりも、トラッキング制御の帯域を高めることができる。
【０１０２】
また、実施の形態１で説明したクロック信号を生成する場合と同様に、λ／（ＭＬ・ＮＡ）が１．２５よりも大きいとき、特に本実施の形態に示すＴＥ信号の生成方法を用いることで、顕著な効果が発揮される。
【０１０３】
なお、図８に記載していない構成要素については、一般的な光情報装置に用いられている構成を問題なく適用できるので、説明を略している。
【０１０４】
また、最短マークは２Ｔに限定されるものではなく、最短マークの幅が、最短マークよりも長いマークの幅より狭い場合、本発明の効果を得ることができ、例えば最短マークが３Ｔであってもよい。
【０１０５】
（実施の形態４）
図９は、本発明に係る別の光情報装置の一例としての相変化光情報装置の構成を示す図である。この光情報装置は、光ピックアップヘッド１０２と、再生手段１０３と、再生信号品質検出手段Ａ１０４と、検出手段Ｂ１０５と、最適記録パワー決定手段１０６と、記録手段１０７と、レーザ駆動回路１０８と、記録パワー設定手段１０９とを備える。光ピックアップヘッド１０２によって光記憶媒体１０１に光ビームを照射し、反射光を受光する。再生手段１０３では、該光ピックアップヘッド１０２で受光した光に基づく信号を再生する。再生信号品質検出手段Ａ１０４と、検出手段Ｂ１０５とによって、再生信号の品質を検出する。最適記録パワー決定手段１０６では、該検出手段Ａ１０４、検出手段Ｂ１０５で得られた再生信号品質に基づいて最適記録パワーを決定する。レーザ駆動回路１０８によってレーザを出射する。記録パワー設定手段１０９によって記録時のパワーを設定する。
【０１０６】
図１０は、本実施の形態における光記憶媒体１０１のトラックの構成を示す図である。光記憶媒体１０１は、溝状のグルーブトラック２０１に記録領域を有し、前記グルーブトラックがスパイラル状に連続している光記憶媒体である。
【０１０７】
光記憶媒体１０１が光情報装置に装着され、光記憶媒体タイプの識別や回転制御等の所定動作の終了後、光ピックアップヘッド１０２は最適記録パワーを設定するための領域に移動する（ステップ４０２：図１２）。
【０１０８】
なお前記領域は、光記憶媒体の最内周もしくは最外周に設けられた、ユーザがデータを記録するユーザ領域以外の記録領域とする。ユーザ領域以外の領域を使用することにより、高い照射パワーの記録によるユーザ領域の熱的な破壊を防止することができる。
【０１０９】
以下に記録時のパワーを決定する際の動作について説明する。なお、図９に示す装置を構成する回路から出力される信号、および前記信号に対応する光記憶媒体１０１上の記録マークを図１８および図１９に示し適宜参照する。
（ａ）まず記録パワー設定手段１０９により、ピークパワー１１０３、バイアスパワー１１０４、ボトムパワー１１０５の初期値がレーザ駆動回路１０８に設定される。
（ｂ）続いて記録手段１０７から、所定の位置よりグルーブトラック１周を連続して記録するための信号１１５がレーザ駆動回路１０８に送られる。
（ｃ）レーザ駆動回路１０８から、記録するマークの長さに応じて整形されたパルス列信号１１６が光ピックアップヘッド１０２に送られて、光ピックアップヘッド１０２により信号が記録される。このとき光ピックアップヘッド１０２の構成要素である半導体レーザの出力光は光記憶媒体１０１上に光スポットとして集光され、発光波形に応じた記録マーク１００１が形成される。なお光ピックアップヘッド１０２においてレーザ光の波長は４０５ｎｍ程度であり、対物レンズのＮＡは０．８５程度である。
【０１１０】
なお本実施の形態では、１−７変調方式のデータをマークエッジ記録方式で記録するものとする。この場合、最短の２Ｔから最長の８Ｔまでの基準周期であるＴ毎に７種類のマークおよびスペースが存在する。なお記録方式はこれに限らず他の記録方式でも良い。なお最短マーク長は０．１６μｍ程度である。
【０１１１】
記録が終わると、光ピックアップヘッド１０２の半導体レーザは再生パワーで発光し、さきほど記録を行ったトラックを再生し、再生信号として光記憶媒体１０１上の記録マーク１００１の有無により変化する信号１１０が再生手段１０３に入力される。
【０１１２】
図１４は、再生手段１０３の構成を示すブロック図である。この再生手段１０３は、プリアンプ６０１と、イコライザ６０２と、ローパスフィルタ６０３と、２値化回路６０４と、ＰＬＬ６０５とを備える。信号１１０は、プリアンプ６０１で増幅され、イコライザ６０２、ローパスフィルタ６０３で波形等化されて信号６０６となる。信号６０６は、２値化回路６０４に入力されて、スライスレベル１００２との交点においてパルスを出力し、信号１１１となる。ここでスライスレベル１００２はマークの積分値とスペースの積分値が等しくなるように通常数１０ＫＨｚの帯域で動作する。
【０１１３】
２値化回路６０４の出力信号１１１は、ＰＬＬ６０５に入力される。図１５は、ＰＬＬ６０５の構成を示すブロック図である。このＰＬＬ６０５は、位相比較器７０１と、ローパスフィルタ７０２と、ＶＣＯ７０３と、フリップフロップ７０４と、分周回路７０５と、ゲート回路７０６とを備える。
（ａ）２値化回路６０４の出力信号１１１が位相比較器７０１に入力される。
（ｂ）位相比較器７０１は入力信号１１１とゲート回路７０６の出力信号７０７との位相差を検出し、２つの入力信号の位相差と周波数差に関係する誤差信号７０８を出力する。
（ｃ）誤差信号７０８はローパスフィルタ７０２で低周波成分だけが取り出され、ＶＣＯ７０３の制御電圧となる。
（ｄ）ＶＣＯ７０３は制御電圧によって決まる周波数でクロック信号７０９を発生する。
（ｅ）クロック信号７０９は、分周回路７０５で分周され、ゲート回路７０６で信号１１１に対応した信号のみが出力される。このときＶＣＯ７０３は２つの入力信号の位相が等しくなるように制御され、結果的に信号１１１をその基本周期に同期させた信号１１２が出力され、再生信号品質検出手段Ａ１０４と再生信号品質検出手段Ｂ１０５に入力される。
【０１１４】
図１６は、再生信号品質検出手段Ａ１０４のブロック図である。この再生信号品質検出手段Ａ１０４は、エッジ間隔測定回路８０１と、ジッタ演算回路８０３と、比較回路８０５とを備える。２値化回路６０４の出力信号１１１とＰＬＬ６０５の出力信号１１２がエッジ間隔測定回路８０１に入力されると、エッジ間隔測定回路８０１は、図１８に示すように、２つのパルスのエッジ間隔ｔ０、ｔ１、ｔ２、ｔ３、ｔ４、ｔ５、ｔ６、ｔ７、ｔ８、ｔ９・・・を測定し、ジッタ演算回路８０３においてジッタ値を出力する。続いて比較回路８０５にて、得られたジッタ値を閾値とする所定のジッタ値と比較し、比較結果を信号１１３として最適記録パワー決定手段１０６に出力する。
【０１１５】
次に、図１７に再生信号品質検出手段Ｂ１０５のブロック図を示す。この再生信号品質検出手段Ｂ１０５は、セレクタ回路９０１と、ディレイ回路９０３と、エッジ間隔測定回路９０６と、ジッタ演算回路９０８と、比較回路９１０とを備える。
（ａ）２値化回路６０４の出力信号１１１とＰＬＬ６０５の出力信号１１２はディレイ回路９０３に入力され、それぞれ信号９０４、９０５をエッジ間隔測定回路９０６に出力する。
（ｂ）信号１１１は一方でセレクタ回路９０１に入力され、最短マークおよび最短スペースのエッジを検出して信号９０２をエッジ間隔測定回路９０６に出力する。本実施の形態では２Ｔ信号が最短であるので２Ｔ以下もしくは２Ｔ＋α以下となるパルス間隔を検出する。ここでαは０．５Ｔ以下であり、望ましくは０．２５Ｔ以下である。この信号９０２は、最短マーク及び最短スペース、例えばここでは長さが２Ｔのマーク及びスペースをマスクするために用いられる。
（ｃ）エッジ間隔測定回路９０６は、図１９に示すように、信号９０４において、信号９０２でマスクされるエッジ間隔ｔ３、ｔ６を非測定とし、それ以外のパルスのエッジ間隔ｔ０、ｔ１、ｔ２、ｔ４、ｔ５、ｔ７、ｔ８、ｔ９・・・を測定し、ジッタ演算回路９０８においてジッタ値を出力する。
（ｄ）続いて比較回路９１０にて、得られたジッタ値を閾値とする所定のジッタ値と比較し、比較結果を信号１１４として最適記録パワー決定手段１０６に出力する。
【０１１６】
図１１は、ピークパワーとジッタの関係を示す図である。図１１において横軸がピークパワーであり、縦軸がジッタである。ジッタとは再生信号の原信号との時間的なずれのことであり、記録時のレーザ光の照射パワー不足による再生信号振幅の低下等により発生し、再生信号振幅が増加すると減少し、再生信号振幅が飽和するとジッタ量もほぼ一定となる。再生条件が等しければ、一般にジッタが小さいほど正確な記録が行われている。そこで記録したトラックのジッタが閾値以下となるときＯＫとし、閾値以上となるときをＮＧとする。
【０１１７】
最適記録パワー決定手段１０６は、例えば図１２、図１３に示すフローチャートに従って以下のように動作する。
（ａ）まず、再生信号品質検出手段Ａ１０４の１回目の結果においてＮＧならば初めのパワーよりも大きいピークパワーを設定し（ステップ４０５）、ＯＫならば初めのパワーよりも小さいピークパワーを設定し（ステップ４０４）、前回と同様に、設定されたピークパワーでグルーブトラックの記録、再生を行う（ステップ４０６）。
（ｂ）もし再生信号品質検出手段Ａ１０４の１回目の検出結果がＮＧであり、２回目の検出結果がＯＫであれば、最適記録パワー決定手段１０６は１回目のピークパワーと２回目のピークパワーの平均パワー（Ｐ１）に一定のマージンを上乗せしたパワー（Ｐ２）を下記式に従って算出する（ステップ４１１）。
Ｐ１＝（現在のピークパワー＋直前のピークパワー）／２
Ｐ２＝Ｋ１×Ｐ１（マージン上乗せ，Ｋ１＞１）
（ｃ）もし再生信号品質検出手段Ａ１０４の１回目の検出結果がＯＫであり、２回目の検出結果がＮＧであれば、最適記録パワー決定手段１０６は１回目のピークパワーと２回目のピークパワーの平均パワー（Ｐ１）に一定のマージンを上乗せしたパワー（Ｐ２）を算出する（ステップ４１１）。
Ｐ１＝（現在のピークパワー＋直前のピークパワー）／２
Ｐ２＝Ｋ１×Ｐ１（マージン上乗せ，Ｋ１＞１）
【０１１８】
（ｄ）もし再生信号品質検出手段Ａ１０４の１回目の検出結果がＯＫであり、２回目の検出結果がＯＫであれば、２回目に記録したピークパワーよりもさらに小さいパワーを設定し、このピークパワーで記録、再生を行い、再生信号品質を検出する。そして再生信号品質検出手段Ａ１０４の３回目の検出結果においてＮＧであれば、最適記録パワー決定手段１０６は２回目のピークパワーと３回目のピークパワーの平均パワー（Ｐ１）に一定のマージンを上乗せしたパワー（Ｐ２）を算出する（ステップ４１１）。
（ｅ）続いてピークパワーＰ２を設定し（ステップ４１２）、該ピークパワーＰ２により、ランダム信号を記録し、再生を行う（ステップ４１３）。
（ｆ）再生信号品質検出手段Ａ１０４にて再生信号品質を検出する（ステップ４１４）。
（ｇ）もし検出結果がＮＧであれば、ステップ４１１におけるマージンの上乗せ係数のＫ１を変更し（ステップ４１５）、再度ステップ４１２以降の処理を実施する。変更により検出結果がＯＫとなれば、次に再生信号品質検出手段Ｂ１０５にて再生信号品質を検出する（ステップ４１６）。もし検出結果がＮＧであれば、処理４１１におけるマージンの上乗せ係数のＫ１を変更し（ステップ４１７）、再度４１２以降の処理を実施する。変更により検出結果がＯＫとなればピークパワーＰ２をユーザデータ記録時のピークパワーと決定する（ステップ４１８）。ここでステップ４１５における変更量は最大で±１０％程度であり、ステップ４１７における変更量は最大で±５％程度である。
【０１１９】
以上の様に、記録性能確認等のために、最短マークおよび最短スペースを含むエッジのジッタ検出に加えて、最短マークおよび最短スペースを含まないエッジのジッタを検出することにより、実使用時に光記憶媒体とヘッドの相対的なチルトや、デフォーカスが発生した場合でも、データを正しく記録することができる。
【０１２０】
さらに本実施の形態のように最短マークおよび最短スペースを含むエッジのジッタの閾値と、最短マークおよび最短スペースを含まないエッジのジッタの閾値をそれぞれ設定することにより、より最適な記録再生を行うことが可能になる。
【０１２１】
言い換えると、最短マークおよび最短スペースを含むエッジのジッタの閾値と、最短マークおよび最短スペースを含まないエッジのジッタの閾値を満足する記録性能を光記憶媒体が有することにより、より最適な記録再生を行うことが可能になる。なおこれらの閾値は光記憶媒体上の再生専用領域に記録されていても良いし、光情報装置のメモリに記憶されていても良い。
【０１２２】
なお、これまでに説明した実施の形態は一例であって、本発明の趣旨を逸脱しない範囲で様々な形態を採り得る。
【０１２３】
ジッタやエラーレート等の評価尺度に関して、マークの始端エッジと終端エッジとを区別していないが、区別しても良い。区別することにより始端エッジと終端エッジの一方が極端に大きい場合を排除することができる。更に、最短マークおよび最短スペースを含まないエッジを区別できるのであれば、検出量はジッタに限らず例えばビットエラーレート等でも良い。
【０１２４】
また、２値化回路６０４の出力信号１１１においてパルス間隔を測定することにより最短マークおよび最短スペースを含むエッジを検出しているが、最短マークおよび最短スペースの検出方法はこれに限らず、図３に示すように２つの閾値ＳＬ１とＳＬ２を設定して振幅から最短マークおよび最短スペースを検出する等、特に検出方法に制約はない。
【０１２５】
また、エッジ間隔測定回路９０６は、セレクタ回路９０１の出力信号９０２でマスクされたエッジ間隔を非測定としているが、最短マークおよび最短スペースを含まないエッジのジッタを測定できるのであれば他の方法でも良い。
【０１２６】
また、２値化回路６０４の出力信号１１１とＰＬＬ６０５の出力信号１１２を基にしてエッジ間隔を測定しているが、エッジ間隔の測定はこれに限らず、２値化回路６０４の出力信号１１１のみのエッジ間隔を測定してもよい。信号１１２のジッタが無視できる場合、理論的には、２値化回路６０４の出力信号１１１のみのエッジ間隔におけるジッタ値は、２値化回路６０４の出力信号１１１とＰＬＬ６０５の出力信号１１２を基にしてエッジ間隔におけるジッタ値の約１．４１倍になり、２値化回路６０４の出力信号１１１のみのエッジ間隔におけるジッタ値を検出する場合でも相応の効果を有する。
【０１２７】
また、再生系にＰＲＭＬ方式を使用する場合には、最短マークおよび最短スペースの検出能力が一層向上する。このような場合には特に本実施の形態における、最短マークおよび最短スペースを含まないエッジのジッタを検出することが有効である。例えば、全てのエッジにおけるジッタ値が等しい二つの記録状態を比較した場合に、最短マークおよび最短スペースを含まないエッジのジッタ値が小さい方がより正しくデータを再生できるのはもちろんであるが、最短マークおよび最短スペースの影響で、全てのエッジにおけるジッタ値が大きい場合でも、最短マークおよび最短スペースを含まないエッジのジッタ値が小さければ、ＰＲＭＬ方式により最短マークおよび最短スペースを含むエッジは正しく２Ｔと検出することができるので、結果的に全てのエッジにおけるジッタ値が小さい場合よりも正しくデータを再生することが可能である。
【０１２８】
また、符号系列は、最短マーク長が２Ｔに限定されるものではなく、最短マーク長が３Ｔである３Ｔ系や１Ｔ等、他の長さであっても同様の効果を有する。
【０１２９】
ＰＲＭＬ方式を使用する場合には、最短マークおよび最短スペースを含まないエッジのゆらぎを小さくするようにマークを記録することにより、最短マークおよび最短スペースについては、正しい時間間隔ではなくとも、少なくとも信号の存在が検出できる程度の振幅を有するようにマークを記録すれば、たとえ全てのエッジにおけるジッタ値が大きい場合でも正しくデータを再生することができるので、本実施の形態の様な、最短マークおよび最短スペースを含まないエッジのジッタを検出して記録条件を求めることが非常に有効である。
【０１３０】
また、本実施の形態では最短マークおよび最短スペースを含まないエッジのジッタと、最短マークおよび最短スペースを含むエッジのジッタの両方を検出しているが、最短マークおよび最短スペースを含まないエッジのジッタのみを検出する場合でも、相応の効果を有する。
【０１３１】
また、最短マークおよび最短スペースを含まないエッジのジッタを検出した場合でも、最短マークを含まないエッジもしくは最短スペースを含まないエッジのどちらか一方のジッタのみを検出する場合でも、相応の効果を有する。
【０１３２】
また、ＰＲＭＬ方式以外であっても、ＲＬＬ符号の場合には最短マークが規定されていることから、簡易的な最短マークおよび最短スペースの検出が可能である。すなわちＲＬＬ（１，７）変調方式において、再生波形から２．５Ｔの信号を検出した場合には、２Ｔの可能性と３Ｔの可能性があるが、２Ｔよりも短い信号を検出した場合には２Ｔの可能性の方が高い。従ってＲＬＬ符号により記録を行う場合には、本実施の形態のように最短マークおよび最短スペースを含まないエッジのジッタを検出することが有効である。
【０１３３】
また、閾値となるジッタ値は、光情報装置のエラー訂正能力やイコライザの形態により異なるが、エラー訂正前で１．０×１０−４から１．０×１０−３程度のビットエラーレートを想定した光情報装置の場合、再生信号品質検出手段Ａ１０４において、本実施の形態に示した通常の線形イコライザでは８％〜１１％程度が望ましく、ブースト量が線形イコライザよりも大きいリミットイコライザ等の非線形イコライザでは６％〜９％程度が望ましい。同様に再生信号品質検出手段Ｂ１０５において、本実施の形態に示した通常の線形イコライザでは７％〜１０％程度が望ましく、ブースト量が線形イコライザよりも大きいリミットイコライザ等の非線形イコライザでは５％〜８％程度が望ましい。再生信号品質検出手段Ａ１０４の閾値となるジッタ値は、再生信号品質検出手段Ｂ１０５の閾値となるジッタ値以上である。なおジッタ値は再生系の構成等により１〜２％程度変化しても良い。
【０１３４】
また、連続記録、連続再生の区間に特に制約はなく、セクタ単位の記録を行う光情報装置においてはセクタ単位の記録でもＥＣＣブロック単位の記録でも良い。
【０１３５】
また、記録トラックは１周でなくとも良く、例えば５トラックを連続して記録し、その中央トラックを再生しても良い。これにより、隣接トラックによる消去の影響を含めることができ、より実際のデータの記録に近い条件でジッタ値を検出することができる。
また、中央トラックを記録した後に両側のトラックに記録しても良い。これにより、隣接トラックによる消去の影響を含めることができ、より実際のデータ記録に近い条件でジッタ値を検出することができる。この際に、異なる光情報装置で異なるデータを隣接トラックに記録される場合を考慮し、隣接するトラックに中央トラックを記録したピークパワーよりも高いピークパワーで記録しても良い。より厳しい条件でピークパワーを求めることにより、より信頼性の高い記録を行うことができる。
【０１３６】
また、特に隣接トラックへの記録による中央トラックへの影響を考慮しない場合には、隣接トラックを記録した後に中央トラックに記録しても良い。これによりトラックピッチのむらがある場合でも、隣接トラックの影響を低減することができ、正しくピークパワーを求めることができる。
【０１３７】
なお記録回数は同一トラックに１回でなくとも良く、例えば同一トラックに１０回記録を行っても良い。繰り返し記録可能な光記憶媒体においては、複数回記録を行うことにより、より実際のデータ記録に近い条件でジッタ値を検出することができる。なおジッタの検出は記録を行う毎に行っても良く、これにより光記憶媒体の初期オーバーライト特性を考慮した最適なピークパワーを求めることができる。
【０１３８】
また、異なる光情報装置で高いピークパワーで記録された領域にオーバライトすることを考慮し、複数回の記録を行う際に、ユーザ領域に記録を行う際のピークパワーよりも高いピークパワーで記録を行った後にユーザ領域に記録を行う際のピークパワーでオーバライトしても良い。より厳しい条件でピークパワーを求めることにより、より信頼性の高い記録を行うことができる。
【０１３９】
なお本実施の形態ではピークパワーを中心に説明したが、バイアスパワー、ボトムパワーについても、それぞれピークパワーと同様の求め方を行っても良いし、ピークパワーに連動させて変更させても良い。
【０１４０】
また本実施の形態はトラックに限定されるものではなく、ランドトラックに記録する光記憶媒体はもちろんのこと、ランドトラックとグルーブトラックの両方のトラックに記録する光記憶媒体であっても構わない。
【０１４１】
また、記録可能な層数については一層でも良いし、二層でも良いし、それ以上の層数でも良い。例えば二層光記憶媒体では、光ピックアップヘッドに近い側の層では遠い側の層に比べてレーザ光のコマ収差の影響が小さくチルト特性が良好であるので、光ピックアップヘッドに近い側の、最短マークおよび最短スペースを含むエッジのジッタの閾値や、最短マークおよび最短スペースを含まないエッジのジッタの閾値を、遠い側の層に比べて大きくしても良い。最短マークおよび最短スペースを含むエッジの閾値ジッタ値や、最短マークおよび最短スペースを含まないエッジのジッタの閾値ジッタ値を層毎にそれぞれ設定することにより、それぞれの層において最適な記録再生を行うことが可能になる。また、これらの閾値は光記憶媒体上の再生専用領域に記録されていても良いし、光情報装置のメモリに記憶されていても良い。
【０１４２】
また、再生信号品質検出手段の結果に応じて変化させるパラメータは記録するパワーに限定されるものではなく、例えば記録するマークの長さに応じて整形されたパルス列の幅や位置であっても良い。
【０１４３】
また、ジッタの要因は、記録時の条件に限定されるものではなく、例えば、チルトやデフォーカスによる照射パワーの非最適や、照射パワーの変動等、記録時の要因により結果的に記録マークのゆらぎとしてジッタが発生しても良いし、記録マーク自身のゆらぎは小さく、再生装置のノイズや、チルトやデフォーカス等による再生信号のゆらぎとしてジッタが発生しても良い。
【０１４４】
また、光記憶媒体の特徴は、相変化型に限定されるものではなく、ＲＬＬ符号を用いるのであれば、光磁気記録型の光記憶媒体や磁気光記憶媒体、等、如何なる光記憶媒体であっても良い。勿論、再生専用の光記憶媒体であっても良い。例えば再生専用の光記憶媒体の製造過程において光記憶媒体性能確認等のために、最短マークおよび最短スペースを含むエッジのジッタ検出に加えて、最短マークおよび最短スペースを含まないエッジのジッタを検出することにより、実使用時に光記憶媒体と光ピックアップヘッドの相対的なチルトや、デフォーカスが発生した場合でも、データを正しく再生することができる。
【０１４５】
以上のように、本発明によれば、マークが所望の大きさよりも小さくなることでジッタが劣化する光記憶媒体を用いる場合でも、ジッタが悪化することの影響を軽減でき、記録再生時に光記憶媒体とヘッドの相対的なチルトや、デフォーカスが発生した場合でも、情報を信頼性高く記録再生することができる光記憶媒体、光情報装置、光記憶媒体検査装置及び光記憶媒体検査方法を提供できる。
【０１４６】
なお、本発明は、請求の範囲に記載した態様に限定されず、以下のように様々な態様に展開できる。
本発明の第１の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、２つの閾値を用いて前記光記憶媒体に記録された情報を再生する復調手段と
を具備し、
前記光記憶媒体は情報を記録する記録層を有し、前記記録層には周期Ｔを基本として長さがｋＴのデジタル情報がマーク及びスペース列として記録され、ｋは２以上の整数であり、２Ｔのマークの幅が、３Ｔ以上のマークの幅よりも狭い光情報装置である。
【０１４７】
本発明の第２の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、最尤復号を用いて前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、長さが２Ｔであるデジタル情報のマークの幅が、長さが２Ｔよりも長いデジタル情報のマークの幅よりも狭い光情報装置である。
【０１４８】
本発明の第３の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、２つの閾値を用いて前記光記憶媒体に記録された情報を再生する復調手段と
を具備し、
前記光記憶媒体は、第１の記録層と第２の記録層を有し、前記第１の記録層は照射された光の一部が透過する半透過膜からなり、前記第１の記録層を透過した光が前記第２の記録層に到達し、前記第１の記録層には、周期Ｔを基本として長さがｋＴのデジタル情報がマークもしくはスペース列として記録され、ｋは２以上の整数である光情報装置である。
【０１４９】
本発明の第４の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、最尤復号を用いて前記光記憶媒体に記録された情報を再生する復調手段と
を具備し、
前記光記憶媒体は、第１の記録層と第２の記録層を有し、前記第１の記録層は照射された光の一部が透過する半透過膜からなり、前記第１の記録層を透過した光が前記第２の記録層に到達し、前記第１の記録層には、周期Ｔを基本として長さがｋＴのデジタル情報がマークもしくはスペース列として記録され、ｋは２以上の整数である光情報装置である。
【０１５０】
本発明の第５の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録されたデジタル情報を抽出するためのクロック生成手段と、
前記光記憶媒体に記録された情報を再生する復調手段と
を具備し、
前記光記憶媒体は第１の記録層と第２の記録層を有し、前記第１の記録層は照射された光の一部が透過する半透過膜からなり、前記第１の記録層を透過した光が前記第２の記録層に到達し、前記第１の記録層には、周期Ｔを基本として長さがｋＴのデジタル情報がマークもしくはスペース列として記録され、ｋは２以上の整数であり、前記クロック生成手段は長さが２Ｔであるデジタル情報のマークもしくはスペースに関わるエッジから得られる信号を無効にしてクロック信号を生成する光情報装置である。
【０１５１】
本発明の第６の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録されたデジタル情報を抽出するためのクロック生成手段と、
前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、長さが２Ｔであるデジタル情報のマークの幅が、長さが２Ｔよりも長いデジタル情報のマークの幅よりも狭く、前記クロック生成手段は長さが２Ｔであるデジタル情報のマークもしくはスペースに関わるエッジから得られる信号を無効にしてクロック信号を生成する光情報装置である。
【０１５２】
本発明の第７の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録されたデジタル情報を抽出するためのクロック生成手段と、
前記光記憶媒体に記録された情報を再生する復調手段と、
トラッキング制御に用いるＴＥ信号生成手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、前記トラッキング誤差信号生成手段は、前記光記憶媒体に記録されたマークもしくはスペース列のエッジに光ビームが照射された際に生じる信号の変化からトラッキング誤差信号を生成し、前記トラッキング誤差信号生成手段は、長さが２Ｔであるデジタル情報のマークもしくはスペースに関わるエッジに光ビームが照射された際に生じる信号の変化は無効にしてトラッキング誤差信号を生成する光情報装置である。
【０１５３】
本発明の第８の態様は、前記光情報装置であって、記録層が、繰り返し情報を記録及び消去可能であることを特徴とする。
本発明の第９の態様は、前記光情報装置であって、記録層が、１度だけ情報を記録可能であることを特徴とする。
本発明の第１０の態様は、前記光情報装置であって、記録層が、読み出し専用であることを特徴とする。
本発明の第１１の態様は、前記光情報装置であって、第１の記録層が読み出し専用、第２の記録層が１度だけ情報を記録可能であることを特徴とする。
本発明の第１２の態様は、前記光情報装置であって、第１の記録層が読み出し専用、第２の記録層が繰り返し情報を記録及び消去可能であることを特徴とする。
【０１５４】
本発明の第１３の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、ｋは２以上の整数であり、長さが２Ｔであるデジタル情報のマークの幅が、長さが２Ｔよりも長いデジタル情報のマークの幅よりも狭く、長さが２Ｔであるデジタル情報のマーク及びスペースが繰り返し記録されたパターンから得られる長さが３Ｔ以上のデジタル情報のマーク及びスペースが繰り返し記録されたパターンの情報を再生するのに適した閾値と同じレベルになるように、長さが２Ｔのデジタル情報のマークの長さを調整する光情報装置である。
【０１５５】
本発明の第１４の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録された情報を再生する復調手段と
を具備し、
前記光記憶媒体は、情報を記録する記録層を有し、前記記録層には周期Ｔを基本として長さがｋＴのデジタル情報がマークもしくはスペース列として記録され、ｋは２以上の整数であり、マーク及びスペースの長さが適切になるように評価尺度を有しており、前記評価尺度に対して長さが２Ｔよりも長いデジタル情報のマーク及びスペースの長さが適切となるように調整する光情報装置である。
【０１５６】
本発明の第１５の態様は、光ビームを光記憶媒体に照射して、前記光記憶媒体から反射された光ビームを受光して、受光した光に基づいた信号を出力する光ピックアップヘッドと、
前記光ピックアップヘッドから出力される信号を受けて、前記光記憶媒体に記録された情報を再生する復調手段と
を具備し、
前記光記憶媒体は情報を記録する記録層を有し、前記記録層には周期Ｔを基本として長さがｋＴのデジタル情報がマークもしくはスペース列として記録され、マーク及びスペースの長さが適切になるように評価尺度を有しており、ｋは本来２以上の整数を用いて情報が記録される光記憶媒体に対して、ｋに３以上を選んで情報を記録し、前記評価尺度に対して長さが３Ｔ以上のデジタル情報のマーク及びスペースの長さが適切となるように調整する光情報装置である。
【０１５７】
本発明の第１６の態様は、前記光情報装置であって、評価尺度がジッタであることを特徴とする。
本発明の第１７の態様は、前記光情報装置であって、評価尺度がエラーレートであることを特徴とする。
本発明の第１８の態様は、前記光情報装置であって、評価尺度が得られた信号の時間幅であることを特徴とする。
【０１５８】
本発明の第１９の態様は、前記光情報装置であって、光ピックアップヘッドから照射する光ビームの強度を調整することにより、マークの長さを調整することを特徴とする。
本発明の第２０の態様は、前記光情報装置であって、光ピックアップヘッドから照射する光ビームの時間幅を調整することにより、マークの長さを調整することを特徴とする。
本発明の第２１の態様は、前記光情報装置であって、長さが２Ｔであるデジタル情報のマークの幅が、長さが２Ｔよりも長いデジタル情報のマークの幅よりも狭い光記憶媒体のジッタを計測することを特徴とする。
【０１５９】
本発明の第２２の態様は、前記光情報装置であって、光記憶媒体は第１の記録層と第２の記録層を有し、前記第１の記録層は照射された光の一部が透過する半透過膜からなり、前記第１の記録層を透過した光が前記第２の記録層に到達し、前記第１の記録層に光ビームを照射することにより得られる信号のジッタを計測することを特徴とする。
【０１６０】
本発明の第２３の態様は、前記光情報装置であって、長さが２Ｔであるデジタル情報のマーク及びスペースが繰り返し記録されたパターンから得られる信号をＩ２ｐｐとし、長さが８Ｔであるデジタル情報のマーク及びスペースが繰り返し記録されたパターンから得られる信号をＩ８ｐｐとしたとき、Ｉ２ｐｐ／Ｉ８ｐｐ＜０．２であることを特徴とする。
【０１６１】
本発明の第２４の態様は、前記光情報装置であって、長さが２Ｔであるデジタル情報のマーク及びスペースの一対の長さをＭＬとし、光ピックアップヘッドが照射する光ビームの波長をλとし、光ピックアップヘッドの集光光学系の開口数をＮＡとしたとき、ＭＬ＜λ／（１．２５・ＮＡ）であることを特徴とする。
【０１６２】
本発明の第２５の態様は、前記光情報装置であって、光記憶媒体の反射率が変動しても復調手段に入力される信号の振幅が変動が小さくなるように、利得調整手段を設けたことを特徴とする。
【０１６３】
本発明の第２６の態様は、光ビームを照射することにより情報の記録もしくは再生がなされる光記憶媒体において、情報を記録する記録層として第１の記録層と第２の記録層を有し、第１の記録層が読み出し専用の記録層であり、第２の記録層が１度だけ情報を記録可能な記録層であり、第１の記録層が、第２の記録層よりも光ビームの入射する側に位置することを特徴とする光記憶媒体である。
【０１６４】
本発明の第２７の態様は、光ビームを照射することにより情報の記録もしくは再生がなされる光記憶媒体において、情報を記録する記録層として第１の記録層と第２の記録層を有し、第１の記録層が読み出し専用の記録層であり、第２の記録層が繰り返し情報を記録及び消去可能な記録層であり、第１の記録層が、第２の記録層よりも光ビームの入射する側に位置することを特徴とする光記憶媒体である。
【０１６５】
本発明の第２７の態様は、同心円状あるいはスパイラル状に形成された複数のトラックを有し、光ビームを前記トラックの記録面に照射してマークおよび、マークとマークの間のスペースで情報を記録する光記憶媒体において、最短マークおよび／または最短スペースに隣接するエッジを除いた信号が第１の再生信号品質を有することを特徴とする光記憶媒体である。
【０１６６】
本発明の第２８の態様は、前記光記憶媒体であって、最短マークおよび／または最短スペースに隣接するエッジを含む信号が第２の再生信号品質を有することを特徴とする。
本発明の第２９の態様は、前記光記憶媒体であって、第１の再生信号品質が第２の再生信号品質よりも高いことを特徴とする。
本発明の第３０の態様は、前記光記憶媒体であって、再生信号品質としてジッタを検出することを特徴とする。
【０１６７】
本発明の第３１の態様は、前記光記憶媒体であって、始端エッジのジッタと終端エッジのジッタを区別することを特徴とする。
本発明の第３２の態様は、前記光記憶媒体であって、再生信号品質としてエラーレートを検出することを特徴とする。
本発明の第３３の態様は、前記光記憶媒体であって、光記憶媒体は複数の記録層を有し、層毎に再生信号品質を設定することを特徴とする。
【０１６８】
本発明の第３４の態様は、前記光記憶媒体であって、記録時に光ピックアップヘッドから最も遠い層の品質が最も高いことを特徴とする。
本発明の第３５の態様は、前記光記憶媒体であって、再生信号品質の閾値を光記憶媒体の所定領域に記載することを特徴とする。
本発明の第３６の態様は、前記光記憶媒体であって、所定領域は再生専用領域であることを特徴とする。
【０１６９】
本発明の第３７の態様は、前記光記憶媒体であって、所定の再生信号品質を有するトラックは、隣接するトラックにも信号が記録されていることを特徴とする。
本発明の第３８の態様は、前記光記憶媒体であって、所定の再生信号品質を有するトラックへの記録は、隣接するトラックへの記録前に行われていることを特徴とする。
本発明の第３９の態様は、前記光記憶媒体であって、隣接するトラックに記録する際のレーザ光の照射パワーが、所定の再生信号品質を有するトラックに記録する際のレーザ光の照射パワーよりも大きいことを特徴とする。
【０１７０】
本発明の第４０の態様は、前記光記憶媒体であって、所定の再生信号品質を有するトラックへの記録は、隣接する一方のトラックへの記録後に行われていることを特徴とする。
本発明の第４１の態様は、前記光記憶媒体であって、所定の再生信号品質を有するトラックへの記録は、隣接する両方のトラックへの記録後に行われていることを特徴とする。
本発明の第４２の態様は、前記光記憶媒体であって、所定の再生信号品質を有するトラックは複数回の記録が行われていることを特徴とする。
【０１７１】
本発明の第４３の態様は、前記光記憶媒体であって、所定の回数の全ての記録において、所定の再生信号品質を有することを特徴とする。
本発明の第４４の態様は、前記光記憶媒体であって、第１の照射パワーで記録後に第２の照射パワーで記録し、第１の照射パワーが第２の照射パワーよりも大きいことを特徴とする。
【０１７２】
本発明の第４５の態様は、同心円状あるいはスパイラル状に形成された複数のトラックを有し、光ビームを前記トラックの記録面に照射してマークおよび、マークとマークの間のスペースで情報を記録する光記憶媒体において、最短マークおよび／または最短スペースに隣接するエッジを除いた信号が第１の再生信号品質を有する光記憶媒体を再生する光情報装置である。
【０１７３】
本発明の第４６の態様は、同心円状あるいはスパイラル状に形成された複数のトラックを有し、光ビームを前記トラックの記録面に照射してマークおよび、マークとマークの間のスペースで情報を記録する光記憶媒体において、最短マークおよび／または最短スペースに隣接するエッジを除いた信号が第１の再生信号品質を有し、最短マークおよび／または最短スペースに隣接するエッジを含む信号が第２の再生信号品質を有する光記憶媒体を再生する光情報装置である。
【０１７４】
本発明の第４７の態様は、最短マークおよび／または最短スペースに隣接するエッジを除いた信号が第１の再生信号品質を有するように記録する光情報装置であって、
信号を記録する手段と、
記録した信号を再生する手段と、
再生信号における最短マークもしくは最短スペースを検出する手段と、
検出した最短マークもしくは最短スペースに隣接するエッジを除いた信号における再生信号品質を検出する再生信号品質検出手段と
を有することを特徴とする光情報装置である。
【０１７５】
本発明の第４８の態様は、前記光情報装置であって、最短マークおよび／または最短スペースに隣接するエッジを含む信号が第２の再生信号品質を有するように記録することを特徴とする。
本発明の第４９の態様は、前記光情報装置であって、第１の再生信号品質が第２の再生信号品質よりも高いことを特徴とする。
【０１７６】
本発明の第５０の態様は、前記光情報装置であって、再生信号品質としてジッタを検出することを特徴とする。
本発明の第５１の態様は、前記光情報装置であって、始端エッジのジッタと終端エッジのジッタを区別することを特徴とする。
【０１７７】
本発明の第５２の態様は、前記光情報装置であって、再生信号品質としてエラーレートを検出することを特徴とする。
本発明の第５３の態様は、前記光情報装置であって、光記憶媒体は複数の記録層を有し、層毎に再生信号品質を設定することを特徴とする。
【０１７８】
本発明の第５４の態様は、前記光情報装置であって、記録時に光ピックアップヘッドから最も遠い層の品質が最も高いことを特徴とする。
本発明の第５４の態様は、前記光情報装置であって、再生信号品質の閾値を光情報装置の所定領域に記載することを特徴とする。
【０１７９】
本発明の第５５の態様は、前記光情報装置であって、所定の再生信号品質を有するトラックは、隣接するトラックにも信号が記録されていることを特徴とする。
本発明の第５６の態様は、前記光情報装置であって、所定の再生信号品質を有するトラックへの記録は、隣接するトラックへの記録前に行われていることを特徴とする。
【０１８０】
本発明の第５７の態様は、前記光情報装置であって、隣接するトラックに記録する際のレーザ光の照射パワーが、所定の再生信号品質を有するトラックに記録する際のレーザ光の照射パワーよりも大きいことを特徴とする。
本発明の第５８の態様は、前記光情報装置であって、所定の再生信号品質を有するトラックへの記録は、隣接する一方のトラックへの記録後に行われていることを特徴とする。
【０１８１】
本発明の第５９の態様は、前記光情報装置であって、所定の再生信号品質を有するトラックへの記録は、隣接する両方のトラックへの記録後に行われていることを特徴とする。
本発明の第６０の態様は、前記光情報装置であって、所定の再生信号品質を有するトラックは複数回の記録が行われていることを特徴とする請求項６４記載の光情報装置。
【０１８２】
本発明の第６１の態様は、前記光情報装置であって、所定の回数の全ての記録において、所定の再生信号品質を有することを特徴とする。
本発明の第６２の態様は、前記光情報装置であって、第１の照射パワーで記録後に第２の照射パワーで記録し、第１の照射パワーが第２の照射パワーよりも大きいことを特徴とする。
【０１８３】
本発明の第６３の態様は、前記光情報装置であって、再生信号品質結果によって記録時の照射パワーを決定することを特徴とする。
本発明の第６４の態様は、前記光情報装置であって、照射パワーを決定は、ユーザがデータを記録するユーザ領域以外の領域で行うことを特徴とする。
【０１８４】
上述の通り、本発明は好ましい実施形態により詳細に説明されているが、本発明はこれらに限定されるものではなく、特許請求の範囲に記載された本発明の技術的範囲内において多くの好ましい変形例及び修正例が可能であることは当業者にとって自明なことであろう。
【図１】
2010182414.tif 000003
【図２】
2010182414.tif 000004
【図３】
2010182414.tif 000005
【図４】
2010182414.tif 000006
【図５】
2010182414.tif 000007
【図６】
2010182414.tif 000008
【図７】
2010182414.tif 000009
【図８】
2010182414.tif 000010
【図９】
2010182414.tif 000011
【図１０】
2010182414.tif 000012
【図１１】
2010182414.tif 000013
【図１２】
2010182414.tif 000014
【図１３】
2010182414.tif 000015
【図１４】
2010182414.tif 000016
【図１５】
2010182414.tif 000017
【図１６】
2010182414.tif 000018
【図１７】
2010182414.tif 000019
【図１８】
2010182414.tif 000020
【図１９】
2010182414.tif 000021
【図２０】
2010182414.tif 000022
【図２１】
2010182414.tif 000023
【図２２】
2010182414.tif 000024
【図２３】
2010182414.tif 000025
【図２４】
2010182414.tif 000026
【図２５】
2010182414.tif 000027
【図２６】
2010182414.tif 000028
【図２７】
2010182414.tif 000029